(57)【要約】  本願は、データ処理方法およびデータ処理装置ならびにコンピュータ記憶媒体を提供する。ＵＭ  ＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、ＰＤＣＰエンティティは、ＰＤＣＰエンティティによりシーケンス番号に関連付けられてはいるが、対応するデータがエアインタフェースを通じて伝送されていないＳＤＵである第１のＳＤＵを決定し、第１のＳＤＵに対応するＰＤＵをＲＬＣエンティティへ配信する。ＰＤＣＰエンティティの前処理により生じるデータパケット損失を回避するために、第１のＳＤＵに対応するデータが再配信される。
2021503729.tif 000002
【特許請求の範囲】
【請求項１】
パケットデータコンバージェンスプロトコルＰＤＣＰエンティティが第１のサービスデータユニットＳＤＵを決定する段階であって、前記第１のＳＤＵは、前記ＰＤＣＰエンティティによりシーケンス番号に関連付けられてはいるが、対応するデータがエアインタフェースを通じて伝送されていないＳＤＵである、段階と、
前記ＰＤＣＰエンティティが、前記第１のＳＤＵに対応するプロトコルデータユニットＰＤＵを無線リンク制御ＲＬＣエンティティへ配信する段階と
を備えるデータ処理方法。
【請求項２】
前記第１のＳＤＵは、
ＳＤＵであって、シーケンス番号に関連付けられてはいるが、前記ＳＤＵに対応するＰＤＵが前記ＲＬＣエンティティへ配信されていないＳＤＵ、
ＳＤＵであって、前記ＳＤＵに対応するデータが前記ＲＬＣエンティティにより媒体アクセス制御ＭＡＣエンティティへ配信されていないＳＤＵ、
ＳＤＵであって、前記ＳＤＵに対応するデータが前記ＭＡＣエンティティにより物理層へ配信されていないＳＤＵ、および、
ＳＤＵであって、前記ＳＤＵに対応するデータが前記物理層へ配信されてはいるが、前記ＳＤＵに対応するデータが前記物理層により前記エアインタフェースを通じて送信されていないＳＤＵ
のうちの少なくとも１つを含む、
請求項１に記載の方法。
【請求項３】
前記ＰＤＣＰエンティティが第１のＳＤＵを決定する前記段階は、
非肯定応答モードＵＭデータ無線ベアラＤＲＢを介したＰＤＣＰエンティティが再確立されている場合、または、セルのハンドオーバが発生しており、ＵＭ  ＤＲＢを介した前記ＰＤＣＰエンティティが、前記ハンドオーバの前に用いられていたキーを用いている場合、前記ＰＤＣＰエンティティがインジケーション情報を受信する段階であって、前記インジケーション情報は、前記第１のＳＤＵに対応する前記ＰＤＵを前記ＲＬＣエンティティへ配信するよう命令するために用いられる、段階と、
前記ＰＤＣＰエンティティが、前記インジケーション情報に基づいて前記第１のＳＤＵを決定する段階と
を有する、
請求項１または２に記載の方法。
【請求項４】
前記ＰＤＣＰエンティティが、前記第１のＳＤＵに対応するＰＤＵを前記ＲＬＣエンティティへ配信する前記段階は、
前記ＰＤＣＰエンティティが、前記第１のＳＤＵは上位層からのものであるとみなす段階と、
前記ＰＤＣＰエンティティが、前記第１のＳＤＵに対応するＰＤＵを前記ＲＬＣエンティティへ昇順で配信する段階と
を有する、
請求項１から３のいずれか一項に記載の方法。
【請求項５】
前記ＰＤＣＰエンティティは、前記第１のＳＤＵに対応する第１のタイマを再始動させず、前記ＰＤＣＰエンティティが前記上位層から前記第１のＳＤＵを受信した場合、前記第１のタイマは、前記ＰＤＣＰエンティティにより始動させられる、請求項４に記載の方法。
【請求項６】
前記セルのハンドオーバが発生し、ＵＭ  ＤＲＢを介した前記ＰＤＣＰエンティティが、前記ハンドオーバの前に用いられていた前記キーを用いた後に、前記第１のＳＤＵのカウント値が初期値から始まるか、または、前記ハンドオーバの前に用いられていたカウント値が維持される、請求項３に記載の方法。
【請求項７】
第１のデバイスが、第２のデバイスにより送信される第１のメッセージを受信する段階であって、前記第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう前記第１のデバイスに命令するために用いられ、前記第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである、段階
を備えるデータ処理方法。
【請求項８】
第１のデバイスが、第２のデバイスにより送信される第１のメッセージを受信する前記段階は、
セルのハンドオーバが発生しており、前記ＰＤＣＰエンティティが、前記ハンドオーバの前に用いられていたキーを用いている場合、前記第１のデバイスが、前記第２のデバイスにより送信される前記第１のメッセージを受信する段階
を有する、
請求項７に記載の方法。
【請求項９】
第２のデバイスが第１のメッセージを第１のデバイスへ送信する段階であって、前記第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう前記第１のデバイスに命令するために用いられ、前記第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである、段階
を備えるデータ処理方法。
【請求項１０】
前記第２のデバイスが第１のメッセージを第１のデバイスへ送信する前記段階は、
セルのハンドオーバが発生しており、前記ＰＤＣＰエンティティが、前記ハンドオーバの前に用いられていたキーを用いている場合、前記第２のデバイスが前記第１のメッセージを前記第１のデバイスへ送信する段階
を有する、
請求項９に記載の方法。
【請求項１１】
前記ＰＤＣＰエンティティが肯定応答モードＡＭデータ無線ベアラＤＲＢを介したＰＤＣＰエンティティである場合、前記第１のメッセージは、データを回復するよう前記第１のデバイスに命令するために用いられ、または、
前記ＰＤＣＰエンティティが非肯定応答モードＵＭ  ＤＲＢを介したＰＤＣＰエンティティである場合、前記第１のメッセージは、前記第１のＳＤＵに対応する前記ＰＤＵを前記ＲＬＣエンティティへ配信するよう前記第１のデバイスに命令するために用いられ、または、
前記ＰＤＣＰエンティティがシグナリング無線ベアラＳＲＢを介したＰＤＣＰエンティティである場合、前記第１のメッセージは、前記データパケットをクリアするよう前記第１のデバイスに命令するために用いられる、
請求項７から１０のいずれか一項に記載の方法。
【請求項１２】
前記第１のメッセージは、第１のインジケーションおよび第２のインジケーションを含み、
前記第１のインジケーションは、前記データ回復、データパケットの前記クリアおよび前記第１のＳＤＵに対応するＰＤＵのＲＬＣエンティティへの前記配信というオペレーションのうちの前記少なくとも１つを実行するよう前記第１のデバイスに命令するために用いられ、
前記第２のインジケーションは、前記ＲＬＣエンティティを再確立するよう命令するために用いられる、
請求項７から１１のいずれか一項に記載の方法。
【請求項１３】
前記第１のインジケーションおよび前記第２のインジケーションは、同じメッセージにおいて送信されるか、または異なるメッセージにおいて送信される、請求項１２に記載の方法。
【請求項１４】
前記第１のメッセージは、第３のインジケーションを含み、
前記第３のインジケーションは、前記データ回復、データパケットの前記クリアおよび前記第１のＳＤＵに対応するＰＤＵのＲＬＣエンティティへの前記配信というオペレーションのうちの前記少なくとも１つを実行するよう前記第１のデバイスに命令するために用いられ、さらに、ＰＤＣＰを再確立するよう命令するために用いられる、
請求項７から１１のいずれか一項に記載の方法。
【請求項１５】
前記第３のインジケーションは、少なくとも２つの値を含み、
前記少なくとも２つの値のいくつかが、ＰＤＣＰを再確立するよう命令するために用いられ、前記少なくとも２つの値の残りが、前記データ回復、データパケットの前記クリアおよび前記第１のＳＤＵに対応するＰＤＵのＲＬＣエンティティへの前記配信というオペレーションのうちの前記少なくとも１つを実行するよう命令するために用いられる、
請求項１４に記載の方法。
【請求項１６】
前記第１のメッセージは、第４のインジケーションおよび第５のインジケーションを含み、
前記第４のインジケーションは、前記ＰＤＣＰエンティティを再確立するよう命令するために用いられ、
前記第５のインジケーションは、既存のキーを用いるよう前記ＰＤＣＰエンティティに命令するために用いられる、
請求項７から１１のいずれか一項に記載の方法。
【請求項１７】
前記第４のインジケーションおよび前記第５のインジケーションは、同じメッセージにおいて送信されるか、または異なるメッセージにおいて送信される、請求項１６に記載の方法。
【請求項１８】
前記第１のメッセージは、第６のインジケーションを含み、前記第６のインジケーションは、前記ＲＬＣエンティティを再確立するよう命令するために用いられ、
前記第１のデバイスが第７のインジケーションを受信しなかった場合、前記第１のメッセージは、前記データ回復、データパケットの前記クリアおよび前記第１のＳＤＵに対応する前記ＰＤＵの前記ＲＬＣエンティティへの再配信というオペレーションのうちの少なくとも１つを実行するよう前記第１のデバイスに命令するために用いられ、前記第７のインジケーションは、前記ＰＤＣＰエンティティを再確立するよう命令するために用いられる、
請求項７から１１のいずれか一項に記載の方法。
【請求項１９】
前記第１のメッセージは、第８のインジケーションを含み、前記第８のインジケーションは、前記ＰＤＣＰエンティティを再確立するよう命令するために用いられ、
前記第１のデバイスが第９のインジケーションを受信しなかった場合、前記第１のメッセージは、前記データ回復、データパケットの前記クリアおよび前記第１のＳＤＵに対応する前記ＰＤＵの前記ＲＬＣエンティティへの再配信というオペレーションのうちの少なくとも１つを実行するよう前記第１のデバイスに命令するために用いられ、前記第９のインジケーションは、キー情報を示すために用いられる、
請求項７から１１のいずれか一項に記載の方法。
【請求項２０】
前記第５のインジケーションは、
キーの更新のために必要とされるパラメータ情報、および、
キーを変更するかどうかについての情報
のうちの少なくとも一方を含む、
請求項１９に記載の方法。
【請求項２１】
前記第１のメッセージにより示されるクリア済みの前記データパケットは、前記ＰＤＣＰエンティティに格納された全てのＳＤＵおよびＰＤＵを含む、請求項７または９に記載の方法。
【請求項２２】
前記第１のＳＤＵは、
ＳＤＵであって、シーケンス番号に関連付けられてはいるが、前記ＳＤＵに対応するＰＤＵが前記ＲＬＣエンティティへ配信されていないＳＤＵ、
ＳＤＵであって、前記ＳＤＵに対応するデータが前記ＲＬＣエンティティによりＭＡＣエンティティへ配信されていないＳＤＵ、
ＳＤＵであって、前記ＳＤＵに対応するデータが前記ＭＡＣエンティティにより物理層へ配信されていないＳＤＵ、および、
ＳＤＵであって、前記ＳＤＵに対応するデータが前記物理層へ配信されてはいるが、前記ＳＤＵに対応するデータが前記物理層により前記エアインタフェースを通じて送信されていないＳＤＵ
のうちの少なくとも１つを含む、
請求項７または９に記載の方法。
【請求項２３】
プロセッサと、メモリと、トランシーバとを備えるデータ処理装置であって、前記メモリは、命令を格納するように構成され、前記トランシーバは、別のデバイスと通信するように構成され、前記プロセッサが、前記メモリに格納された前記命令を実行するように構成されることにより、前記データ処理装置が請求項１から６のいずれか一項に記載のデータ処理方法を実行する、データ処理装置。
【請求項２４】
プロセッサと、メモリと、トランシーバとを備える第１のデバイスであって、前記メモリは、命令を格納するように構成され、前記トランシーバは、別のデバイスと通信するように構成され、前記プロセッサが、前記メモリに格納された前記命令を実行するように構成されることにより、前記第１のデバイスが請求項７、８および１１から２２のいずれか一項に記載のデータ処理方法を実行する、第１のデバイス。
【請求項２５】
プロセッサと、メモリと、トランシーバとを備える第２のデバイスであって、前記メモリは、命令を格納するように構成され、前記トランシーバは、別のデバイスと通信するように構成され、前記プロセッサが、前記メモリに格納された前記命令を実行するように構成されることにより、前記第２のデバイスが請求項９から２２のいずれか一項に記載のデータ処理方法を実行する、第２のデバイス。
【請求項２６】
データ処理装置に適用されるコンピュータ可読記憶媒体であって、前記コンピュータ可読記憶媒体は、命令を格納し、前記命令がコンピューティング装置により実行された場合、前記データ処理装置は、請求項１から６のいずれか一項に記載のデータ処理方法を実行するよう有効化される、コンピュータ可読記憶媒体。
【請求項２７】
第１のデバイスに適用されるコンピュータ可読記憶媒体であって、前記コンピュータ可読記憶媒体は、命令を格納し、前記命令がコンピューティング装置により実行された場合、前記第１のデバイスは、請求項７、８および１１から２２のいずれか一項に記載のデータ処理方法を実行するよう有効化される、コンピュータ可読記憶媒体。
【請求項２８】
第２のデバイスに適用されるコンピュータ可読記憶媒体であって、前記コンピュータ可読記憶媒体は、命令を格納し、前記命令がコンピューティング装置により実行された場合、前記第２のデバイスは、請求項９から２２のいずれか一項に記載のデータ処理方法を実行するよう有効化される、コンピュータ可読記憶媒体。
【請求項２９】
第１のデバイスおよび第２のデバイスを備え、前記第１のデバイスは、請求項７、８および１１から２２のいずれか一項に記載のデータ処理方法を実行するように構成され、前記第２のデバイスは、請求項９から２２のいずれか一項に記載のデータ処理方法を実行するように構成される、通信システム。
【発明の詳細な説明】
【技術分野】
【０００１】
本願は、通信技術、特に、データ処理方法およびデータ処理装置ならびにコンピュータ記憶媒体に関する。
【背景技術】
【０００２】
無線インタフェースプロトコルスタックが、物理層、リンク層およびネットワーク層という３つの層に分割される。リンク層は、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リンク制御（Ｒａｄｉｏ  Ｌｉｎｋ  Ｃｏｎｔｒｏｌ、ＲＬＣ）層および媒体アクセス制御（Ｍｅｄｉａ  Ａｃｃｅｓｓ  Ｃｏｎｔｒｏｌ、ＭＡＣ）層を含む。ＰＤＣＰ層は、ＲＬＣ層の上方に位置し、ＲＬＣ層は、ＭＡＣ層の上方に位置する。ＰＤＣＰ層は、ユーザプレーンデータのパケットヘッダを圧縮および圧縮解除し、ユーザプレーンデータを暗号化および復号化し、制御プレーンデータ等に対して完全性の保護を実行し、当該データをＲＬＣ層へ順次配信するために用いられる。一連の当該データが、ＰＤＣＰ層における当該データに関連付けられたシーケンス番号（Ｓｅｑｕｅｎｃｅ  Ｎｕｍｂｅｒ、ＳＮ）を用いることにより確保される。ＲＬＣ層は、ユーザデータおよび制御データのためのセグメント化サービスおよび再伝送サービスを提供する。ＲＬＣ層は、透明モード（ＴＭ）、非肯定応答モード（Ｕｎａｃｋｎｏｗｌｅｄｇｅｄ  Ｍｏｄｅ、ＵＭ）および肯定応答モード（Ａｃｋｎｏｗｌｅｄｇｅ  Ｍｏｄｅ、ＡＭ）という３つのモードで動作する。ＲＬＣ層は、処理済みのデータをＭＡＣ層へ配信し、ＭＡＣ層は、当該データを処理し、次に、処理済みのデータを物理層へ配信し、物理層は、エアインタフェースを通じて当該データを送信する。
【０００３】
ロングタームエボリューション（Ｌｏｎｇ  Ｔｅｒｍ  Ｅｖｏｌｕｔｉｏｎ、ＬＴＥ）システムでは、ＰＤＣＰは、端末デバイスが１つのセルから別のセルへハンドオーバされるときに再確立中である。ＰＤＣＰが再確立された後に、伝送端がＵＭモードデータ無線ベアラ（Ｄａｔａ  Ｒａｄｉｏ  Ｂｅａｒｅｒ、ＤＲＢ）をいくつかの方式で処理する。当該方式は、Ｎｅｘｔ＿ＰＤＣＰ＿ＴＸ＿ＳＮおよびＴＸ＿ＨＦＮをゼロに設定し、新しい暗号化方式および新しいキーを用い、既にＳＮに関連付けられているＰＤＣＰサービスデータユニット（Ｓｅｒｖｉｃｅ  Ｄａｔａ  Ｕｎｉｔ、ＳＤＵ）について、これらのＳＤＵに対応するプロトコルデータユニット（Ｐｒｏｔｏｃｏｌ  Ｄａｔａ  Ｕｎｉｔ、ＰＤＵ）が下位層へ配信されていない場合、パケット損失タイマ（破棄タイマ）を再始動させることなく、これらのＳＤＵが上位層から受信されており、ＰＤＣＰが再確立される前に関連付けられたカウント値ＣＯＵＮＴ（カウント値は３２ビット数であり、第１の半セグメントはハイパーフレーム番号ＨＦＮであり、第２の半セグメントはシーケンス番号ＳＮである）に基づいて昇順で伝送されているものとみなす、というものである。
【０００４】
しかしながら、第５世代（５−Ｇｅｎｅｒａｔｉｏｎ、５Ｇ）モバイル通信システムでは、基地局および端末デバイスがデータパケット前処理機能を有する。具体的には、任意の伝送リソースがエアインタフェースに到達する前に、ＰＤＣＰエンティティがＰＤＣＰ  ＰＤＵをＲＬＣエンティティへ配信することにより、ＲＬＣエンティティは、ＲＬＣ  ＰＤＵを生成する。ＰＤＣＰが再確立された後に、ＰＤＣＰエンティティによりデータがＲＬＣエンティティへ配信され、ＭＡＣエンティティがエアインタフェースを通じて送信されず、ＲＬＣエンティティおよびＭＡＣエンティティが前処理済みのデータを再伝送しなかった場合、当該データは失われる。
【発明の概要】
【０００５】
本願は、ＰＤＣＰエンティティの前処理により生じるデータパケット損失を回避するために、データ処理方法およびデータ処理装置ならびにコンピュータ記憶媒体を提供する。
【０００６】
本願の第１の態様は、データ処理方法を提供する。
データ処理方法は、
ＰＤＣＰエンティティが第１のＳＤＵを決定する段階であって、第１のＳＤＵは、ＰＤＣＰエンティティによりシーケンス番号に関連付けられてはいるが、対応するデータがエアインタフェースを通じて伝送されていないＳＤＵである、段階と、
ＰＤＣＰエンティティが、第１のＳＤＵに対応するプロトコルデータユニットＰＤＵをＲＬＣエンティティへ配信する段階と
を備える。
【０００７】
任意選択的に、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータが媒体アクセス制御ＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【０００８】
任意選択的に、ＰＤＣＰエンティティが第１のＳＤＵを決定する段階は、
ＵＭデータ無線ベアラＤＲＢを介したＰＤＣＰエンティティが再確立されている場合、または、セルのハンドオーバが発生しており、ＵＭ  ＤＲＢを介したＰＤＣＰエンティティが、ハンドオーバの前に用いられていたキーを用いている場合、ＰＤＣＰエンティティがインジケーション情報を受信する段階であって、インジケーション情報は、第１のＳＤＵに対応するＰＤＵをＲＬＣエンティティへ配信するよう命令するために用いられる、段階と、
ＰＤＣＰエンティティが、インジケーション情報に基づいて第１のＳＤＵを決定する段階と
を有する。
【０００９】
任意選択的に、ＰＤＣＰエンティティが、第１のＳＤＵに対応するＰＤＵをＲＬＣエンティティへ配信する段階は、
ＰＤＣＰエンティティが、第１のＳＤＵは上位層からのものであるとみなす段階と、
ＰＤＣＰエンティティが、第１のＳＤＵに対応するＰＤＵをＲＬＣエンティティへ昇順で配信する段階と
を有する。
【００１０】
任意選択的に、ＰＤＣＰエンティティは、第１のＳＤＵに対応する第１のタイマを再始動させず、第１のタイマは、ＰＤＣＰエンティティが上位層から第１のＳＤＵを受信した場合、ＰＤＣＰエンティティにより始動させられる。
【００１１】
任意選択的に、セルのハンドオーバが発生し、ＵＭ  ＤＲＢを介したＰＤＣＰエンティティがハンドオーバの前に用いられていたキーを用いた後に、第１のＳＤＵのカウント値が初期値から始まるか、または、ハンドオーバの前に用いられていたカウント値が維持される。
【００１２】
本願の第２の態様は、データ処理方法を提供する。
データ処理方法は、
第１のデバイスが、第２のデバイスにより送信される第１のメッセージを受信する段階であって、第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである、段階
を備える。
【００１３】
セルのハンドオーバが発生しており、ＰＤＣＰエンティティがハンドオーバの前に用いられていたキーを用いている場合、第１のデバイスは、第２のデバイスにより送信される第１のメッセージを受信する。
【００１４】
本願の第３の態様は、データ処理方法を提供する。
データ処理方法は、
第２のデバイスが第１のメッセージを第１のデバイスへ送信する段階であって、第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである、段階
を備える。
【００１５】
任意選択的に、セルのハンドオーバが発生しており、ＰＤＣＰエンティティがハンドオーバの前に用いられていたキーを用いている場合、第２のデバイスは、第１のメッセージを第１のデバイスへ送信する。
【００１６】
本願の第４の態様は、ＰＤＣＰエンティティとＲＬＣエンティティとを備えるデータ処理装置を提供する。
【００１７】
ＰＤＣＰエンティティは、第１のサービスデータユニットＳＤＵを決定するように構成される。第１のＳＤＵは、ＰＤＣＰエンティティによりシーケンス番号に関連付けられてはいるが、対応するデータがエアインタフェースを通じて伝送されていないＳＤＵである。
【００１８】
ＰＤＣＰエンティティはさらに、第１のＳＤＵに対応するプロトコルデータユニットＰＤＵをＲＬＣエンティティへ配信するように構成される。
【００１９】
任意選択的に、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータが媒体アクセス制御ＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００２０】
任意選択的に、ＰＤＣＰエンティティが第１のＳＤＵを決定することは、非肯定応答モードＵＭデータ無線ベアラＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、インジケーション情報を受信することであって、インジケーション情報は、第１のＳＤＵに対応するＰＤＵをＲＬＣエンティティへ配信するよう命令するために用いられる、受信することと、インジケーション情報に基づいて第１のＳＤＵを決定することとを含む。
【００２１】
任意選択的に、ＰＤＣＰエンティティが第１のＳＤＵに対応するＰＤＵをＲＬＣエンティティへ配信することは、第１のＳＤＵは上位層からのものであるとみなすことと、第１のＳＤＵに対応するＰＤＵをＲＬＣエンティティへ昇順で配信することとを含む。
【００２２】
任意選択的に、ＰＤＣＰエンティティは、第１のＳＤＵに対応する第１のタイマを再始動させず、第１のタイマは、ＰＤＣＰエンティティが上位層から第１のＳＤＵを受信した場合、ＰＤＣＰエンティティにより始動させられる。
【００２３】
任意選択的に、セルのハンドオーバが発生し、ＵＭ  ＤＲＢを介したＰＤＣＰエンティティがハンドオーバの前に用いられていたキーを用いた後に、第１のＳＤＵのカウント値が初期値から始まるか、または、ハンドオーバの前に用いられていたカウント値が維持される。
【００２４】
本願の第５の態様は、第１のデバイスを提供する。第１のデバイスは、第２のデバイスにより送信される第１のメッセージを受信するように構成される受信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【００２５】
任意選択的に、受信モジュールは、具体的には、セルのハンドオーバが発生しており、ＰＤＣＰエンティティがハンドオーバの前に用いられていたキーを用いている場合、第２のデバイスにより送信される第１のメッセージを受信するように構成される。
【００２６】
本願の第６の態様は、第２のデバイスを提供する。第２のデバイスは、第１のメッセージを第１のデバイスへ送信するように構成される送信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【００２７】
任意選択的に、送信モジュールは、具体的には、セルのハンドオーバが発生しており。ＰＤＣＰエンティティがハンドオーバの前に用いられていたキーを用いている場合、第２のデバイスが第１のメッセージを第１のデバイスへ送信するように構成される。
【００２８】
任意選択的に、本願の第２の態様、第３の態様、第５の態様および第６の態様において、ＰＤＣＰエンティティが肯定応答モードＡＭデータ無線ベアラＤＲＢを介したＰＤＣＰエンティティである場合、第１のメッセージは、データを回復するよう第１のデバイスに命令するために用いられ、または、
ＰＤＣＰエンティティが非肯定応答モードＵＭ  ＤＲＢを介したＰＤＣＰエンティティである場合、第１のメッセージは、第１のＳＤＵに対応するＰＤＵをＲＬＣエンティティへ配信するよう第１のデバイスに命令するために用いられ、または、
ＰＤＣＰエンティティがシグナリング無線ベアラＳＲＢを介したＰＤＣＰエンティティである場合、第１のメッセージは、データパケットをクリアするよう第１のデバイスに命令するために用いられる。
【００２９】
任意選択的に、本願の第２の態様、第３の態様、第５の態様および第６の態様において、第１のメッセージは、第１のインジケーションおよび第２のインジケーションを含む。
【００３０】
第１のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。
【００３１】
第２のインジケーションは、ＲＬＣエンティティを再確立するよう命令するために用いられる。
【００３２】
任意選択的に、本願の第２の態様、第３の態様、第５の態様および第６の態様において、第１のインジケーションおよび第２のインジケーションは、同じメッセージにおいて送信されるか、または異なるメッセージにおいて送信される。
【００３３】
任意選択的に、本願の第２の態様、第３の態様、第５の態様および第６の態様において、第１のメッセージは、第３のインジケーションを含む。
【００３４】
第３のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられ、さらに、ＰＤＣＰを再確立するよう命令するために用いられる。
【００３５】
任意選択的に、本願の第２の態様、第３の態様、第５の態様および第６の態様において、第３のインジケーションは、少なくとも２つの値を含む。
【００３６】
これら少なくとも２つの値のいくつかが、ＰＤＣＰを再確立するよう命令するために用いられ、これら少なくとも２つの値の残りが、データ回復、データパケットのクリアおよび第１のＳＤＵに対応するＰＤＵのＲＬＣエンティティへの配信というオペレーションのうちの少なくとも１つを実行するよう命令するために用いられる。
【００３７】
任意選択的に、本願の第２の態様、第３の態様、第５の態様および第６の態様において、第１のメッセージは、第４のインジケーションおよび第５のインジケーションを含む。
【００３８】
第４のインジケーションは、ＰＤＣＰエンティティを再確立するよう命令するために用いられる。
【００３９】
第５のインジケーションは、既存のキーを用いるようＰＤＣＰエンティティに命令するために用いられる。
【００４０】
任意選択的に、本願の第２の態様、第３の態様、第５の態様および第６の態様において、第４のインジケーションおよび第６のインジケーションは、同じメッセージにおいて送信されるか、または異なるメッセージにおいて送信される。
【００４１】
任意選択的に、本願の第２の態様、第３の態様、第５の態様および第６の態様において、第１のメッセージは、第６のインジケーションを含み、第６のインジケーションは、ＲＬＣエンティティを再確立するよう命令するために用いられる。
【００４２】
第１のデバイスが第７のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第７のインジケーションは、ＰＤＣＰエンティティを再確立するよう命令するために用いられる。
【００４３】
任意選択的に、本願の第２の態様、第３の態様、第５の態様および第６の態様において、第１のメッセージは、第８のインジケーションを含み、第８のインジケーションは、ＰＤＣＰエンティティを再確立するよう命令するために用いられる。
【００４４】
第１のデバイスが第９のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第９のインジケーションは、キー情報を示すために用いられる。
【００４５】
任意選択的に、本願の第２の態様、第３の態様、第５の態様および第６の態様において、第５のインジケーションは、キーの更新に必要とされるパラメータ情報およびキーを変更するかどうかについての情報のうちの少なくとも１つを含む。
【００４６】
任意選択的に、本願の第２の態様、第３の態様、第５の態様および第６の態様において、第１のメッセージにより示されるクリア済みのデータパケットは、ＰＤＣＰエンティティに格納された全てのＳＤＵおよびＰＤＵを含む。
【００４７】
任意選択的に、本願の第２の態様、第３の態様、第５の態様および第６の態様において、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００４８】
本願の第７の態様は、データ処理装置に適用されるコンピュータ可読記憶媒体を提供する。コンピュータ可読記憶媒体は、命令を格納する。命令がコンピューティング装置により実行された場合、データ処理装置は、本願の第１の態様によるデータ処理方法を実行するよう有効化される。
【００４９】
本願の第８の態様は、第１のデバイスに適用されるコンピュータ可読記憶媒体を提供する。コンピュータ可読記憶媒体は、命令を格納する。命令がコンピューティング装置により実行された場合、第１のデバイスは、本願の第２の態様によるデータ処理方法を実行するよう有効化される。
【００５０】
本願の第９の態様は、第２のデバイスに適用されるコンピュータ可読記憶媒体を提供する。コンピュータ可読記憶媒体は、命令を格納する。命令がコンピューティング装置により実行された場合、第２のデバイスは、本願の第３の態様によるデータ処理方法を実行するよう有効化される。
【００５１】
本願の第１０の態様は、プロセッサと、メモリと、トランシーバとを備えるデータ処理装置を提供する。メモリは、命令を格納するように構成され、トランシーバは、別のデバイスと通信するように構成され、プロセッサが、メモリに格納された命令を実行するように構成されることにより、データ処理装置が本願の第１の態様によるデータ処理方法を実行する。
【００５２】
本願の第１１の態様は、プロセッサと、メモリと、トランシーバとを備える第１のデバイスを提供する。メモリは、命令を格納するように構成され、トランシーバは、別のデバイスと通信するように構成され、プロセッサが、メモリに格納された命令を実行するように構成されることにより、第１のデバイスが本願の第２の態様によるデータ処理方法を実行する。
【００５３】
本願の第１２の態様は、プロセッサと、メモリと、トランシーバとを備える第２のデバイスを提供する。メモリは、命令を格納するように構成され、トランシーバは、別のデバイスと通信するように構成され、プロセッサが、メモリに格納された命令を実行するように構成されることにより、第２のデバイスが本願の第３の態様によるデータ処理方法を実行する。
【００５４】
本願の第１３の態様は、第１のデバイスと第２のデバイスとを備える通信システムを提供する。第１のデバイスは、本願の第２の態様によるデータ処理方法を実行するように構成され、第２のデバイスは、本願の第３の態様によるデータ処理方法を実行するように構成される。
【００５５】
本願において提供されるデータ処理方法およびデータ処理装置ならびにコンピュータ記憶媒体によれば。ＵＭ  ＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、ＰＤＣＰエンティティは、ＰＤＣＰエンティティによりシーケンス番号に関連付けられてはいるが、対応するデータがエアインタフェースを通じて伝送されていないＳＤＵである第１のＳＤＵを決定し、第１のＳＤＵに対応するＰＤＵをＲＬＣエンティティへ配信する。ＰＤＣＰエンティティの前処理により生じるデータパケット損失を回避するために、第１のＳＤＵに対応するデータが再配信される。
【図面の簡単な説明】
【００５６】
【図１】本願が適用可能なネットワークアーキテクチャの概略構造図である。
【００５７】
【図２】本願が適用可能な別のネットワークアーキテクチャの概略図である。
【００５８】
【図３】本願の実施形態１によるデータ処理方法のフローチャートである。
【００５９】
【図４】本願の実施形態２によるデータ処理方法のフローチャートである。
【００６０】
【図５】本願の実施形態３によるデータ処理装置の概略構造図である。
【００６１】
【図６】本願の実施形態４による第１のデバイスの概略構造図である。
【００６２】
【図７】本願の実施形態５による第２のデバイスの概略構造図である。
【００６３】
【図８】本願の実施形態６による通信システムの概略構造図である。
【００６４】
【図９】本願の実施形態７によるデータ処理装置の概略構造図である。
【発明を実施するための形態】
【００６５】
本願は、データ処理方法を提供する。図１は、本願が適用可能なネットワークアーキテクチャの概略構造図である。図１に示されるように、ネットワークアーキテクチャは、１つの基地局および複数の端末デバイスを含む。複数の端末デバイスは、基地局に接続されており、基地局と通信する。図２は、本願が適用可能な別のネットワークアーキテクチャの概略図である。図２に示されるように、ネットワークアーキテクチャは、第１の基地局および第２の基地局という２つの基地局を含む。各基地局は、複数の端末デバイスに接続されてよく、端末デバイスは、第１の基地局が位置するセルから第２の基地局が位置するセルへハンドオーバされてよい。
【００６６】
本願において言及される基地局は、グローバルシステムフォーモバイルコミュニケーションズ（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ（登録商標））におけるベーストランシーバ基地局（Ｂａｓｅ  Ｔｒａｎｓｃｅｉｖｅｒ  Ｓｔａｔｉｏｎ、ＢＴＳ）もしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）システムであってよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システムにおけるノードＢ（ＮｏｄｅＢ、ＮＢ）であってよく、進化型ノードＢ（ｅｖｏｌｖｅｄ  ＮｏｄｅＢ、ｅＮＢ）、アクセスポイント（ａｃｃｅｓｓ  ｐｏｉｎｔ、ＡＰ）もしくはＬＴＥシステムにおける中継ノードであってよく、第５世代（ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ、５Ｇ）モバイル通信システムにおける基地局（例えば、ｇＮＢまたは伝送点（Ｔｒａｎｓｍｉｓｓｉｏｎ  Ｐｏｉｎｔ、ＴＲＰ））であってよく、クラウド型無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラおよびウェアラブルデバイスもしくは車載デバイス等であってよい。このことは、本明細書において限定されない。５Ｇ通信システムは、次世代ネットワークまたは新しい無線アクセスネットワーク（Ｎｅｗ  ｒａｄｉｏ  ａｃｃｅｓｓ  ｔｅｃｈｎｉｃａｌ、Ｎｅｗ  ＲＡＴまたはＮＲ）とも称される。５Ｇ通信システムは、マシンツーマシン（Ｍａｃｈｉｎｅ  ｔｏ  Ｍａｃｈｉｎｅ、Ｍ２Ｍ）通信、Ｄ２Ｍ通信、マクロツーマイクロ通信、エンハンスドモバイルインターネット（Ｅｎｈａｎｃｅ  Ｍｏｂｉｌｅ  Ｂｒｏａｄｂａｎｄ、ｅＭＢＢ）通信、超高信頼性低レイテンシ通信（Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ｕＲＬＬＣ）および大量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）などのシナリオを含み得る。
【００６７】
本願において言及される端末デバイスは、ユーザ機器（Ｕｓｅｒ  Ｅｑｕｉｐｍｅｎｔ、ＵＥ）、アクセス端末、ＵＥユニット、ＵＥ局、モバイル局、モバイルコンソール、リモート局、リモート端末、モバイルデバイス、ＵＥ端末、端末、無線通信デバイス、ＵＥエージェント、ＵＥ装置等であってよい。端末デバイスは、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタル処理（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続された別の処理デバイス、車載デバイス、ウェアラブルデバイス、将来の５Ｇネットワークにおける端末、将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末等であってもよい。
【００６８】
加えて、本願における通信システムは、公衆陸上移動体ネットワーク（Ｐｕｂｌｉｃ  Ｌａｎｄ  Ｍｏｂｉｌｅ  Ｎｅｔｗｏｒｋ、ＰＬＭＮ）ネットワーク、デバイスツーデバイス（ｄｅｖｉｃｅ−ｔｏ−ｄｅｖｉｃｅ、Ｄ２Ｄ）ネットワーク、マシンツーマシン（ｍａｃｈｉｎｅ  ｔｏ  ｍａｃｈｉｎｅ、Ｍ２Ｍ）ネットワークまたは別のネットワークであってよい。当該デバイスは、端末デバイスまたは基地局であってよい。
【００６９】
図１および図２に示されるネットワークアーキテクチャに基づいて、本願の実施形態１は、ＰＤＣＰエンティティがデータパケットを前処理するので当該データパケットが失われてしまうという従来技術の課題を解決するために、データ処理方法を提供する。しかしながら、本実施形態は、図１および図２におけるネットワークアーキテクチャに限定されない。
【００７０】
図３は、本願の実施形態１によるデータ処理方法のフローチャートである。本実施形態における方法は、基地局または端末デバイスにより実行され得る。本実施形態における方法は、ＵＭデータ無線ベアラ（Ｄａｔａ  Ｒａｄｉｏ  Ｂｅａｒｅｒ、ＤＲＢ）の処理に適用され、具体的には、ＵＭ  ＤＲＢを介したＰＤＣＰエンティティが再確立される、または、セルのハンドオーバが発生するが、ＵＭ  ＤＲＢを介したＰＤＣＰエンティティがハンドオーバの前に用いられていたキーを用いる、という２つのシナリオに適用され得る。図３に示されるように、本実施形態において提供される方法は、以下の段階を備える。
【００７１】
段階Ｓ１０１：ＰＤＣＰエンティティが第１のサービスデータユニット（Ｓｅｒｖｉｃｅ  Ｄａｔａ  Ｕｎｉｔ、ＳＤＵ）を決定する。第１のＳＤＵは、ＰＤＣＰエンティティによりＳＮに関連付けられてはいるが、対応するデータがエアインタフェースを通じて伝送されていないＳＤＵである。
【００７２】
第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００７３】
当該ＳＤＵは、上位層プロトコルからの情報要素であり、Ｎ番目の層におけるＳＤＵが、前の層におけるＰＤＵと１対１の対応関係にある。各サブ層に入った処理済みでないデータがＳＤＵと称され、サブ層により処理された後に形成される特定のフォーマットのデータがＰＤＵと称される。加えて、この層において形成されるＰＤＵが、次の層におけるＳＤＵである。本実施形態において、当該ＳＤＵに対応するデータは、当該ＳＤＵに含まれるデータであり、当該ＳＤＵに対応するデータは、異なる層に異なるフォーマットで存在してよく、伝送されてよい。例えば、ＰＤＣＰ層において、第１のＳＤＵに対応するデータがＰＤＣＰ  ＰＤＵ形式で伝送され、ＲＬＣ層において、第１のＳＤＵに対応するデータは、ＲＬＣ  ＳＤＵ形式またはＲＬＣ  ＰＤＵ形式で伝送され、ＭＡＣ層において、第１のＳＤＵに対応するデータは、ＭＡＣ  ＳＤＵ形式またはＭＡＣ  ＰＤＵ形式で伝送される。
【００７４】
本実施形態において、ＰＤＣＰエンティティは、ＵＭ  ＤＲＢを介したＰＤＣＰエンティティであり、ＵＭ  ＤＲＢを介したＰＤＣＰエンティティのアップリンク送信プロセスは、上位層からＰＤＣＰ  ＳＤＵを受信し、パケット損失タイマ（破棄タイマ）を始動させ、ＰＤＣＰ  ＳＤＵをＳＮに関連付け、（ヘッダ圧縮が構成されている場合に）ＰＤＣＰ  ＳＤＵに対してヘッダ圧縮を実行し、ＰＤＣＰ  ＳＤＵに対して完全性保護および暗号化を実行してＰＤＣＰ  ＰＤＵを取得し、ＰＤＣＰ  ＰＤＵをＲＬＣエンティティへ配信するというものである。ＲＬＣエンティティは、ＰＤＣＰエンティティにより配信されるＲＬＣ  ＳＤＵ（すなわち、ＰＤＣＰ  ＰＤＵ）を受信した後に、ＲＬＣ  ＳＤＵを処理してＲＬＣ  ＰＤＵを取得し、ＲＬＣ  ＰＤＵをＭＡＣエンティティへ配信する。ＭＡＣエンティティは、ＭＡＣ  ＳＤＵ（すなわち、ＲＬＣ  ＰＤＵ）を処理してＭＡＣ  ＰＤＵを取得し、次に、ＭＡＣ  ＰＤＵを物理層へ配信する。利用可能な伝送リソースを物理層におけるエアインタフェースが有する場合、物理層は、エアインタフェースにおける伝送リソースを用いることにより、ＭＡＣ  ＰＵＤのデータパケットを送信する。
【００７５】
ＲＬＣエンティティは、ＡＭ、ＴＭおよびＵＭという３つのモードで動作する。ＵＭでは、データを送信する場合、ＲＬＣエンティティは、必要な制御プロトコルオーバヘッドを上位層ＰＤＵに追加し、次に、データを伝送するが、データがピアエンティティへ配信されることは保証せず、再伝送プロトコルを用いない。
【００７６】
ＤＲＢは、基地局と端末デバイスとの間のデータベアラである。ＤＲＢは、サービスデータを伝送するために用いられる。１つの端末デバイスが基地局と共に複数のＤＲＢを確立し得る。異なるサービスを伝送するために、異なるＤＲＢが用いられる。ＵＭでは、データ再伝送メカニズムがなく、従って、データパケットが失われ得る。ＵＭ  ＤＲＢを介したＰＤＣＰエンティティが再確立されている場合、ＵＭ  ＤＲＢは、Ｎｅｘｔ＿ＰＤＣＰ＿ＴＸ＿ＳＮおよびＴＸ＿ＨＦＮをゼロに設定し、新しい暗号化方式および新しいキーを用い、既にＳＮに関連付けられているＰＤＣＰ  ＳＤＵについて、ＰＤＣＰ  ＳＤＵに対応するＰＤＵが下位層へ配信されていない場合、パケット損失タイマを再始動させることなく、これらのＳＤＵが上位層から受信されており、ＰＤＣＰエンティティが再確立される前に関連付けられたカウント値（ＣＯＵＮＴ）に基づいて昇順で伝送されているものとみなす、といういくつかの従来技術の方式で処理される。
【００７７】
カウント値は３２ビット数であり、第１の半セグメントはハイパーフレーム番号（ｈｙｐｅｒ  ｆｒａｍｅ  ｎｕｍｂｅｒ、ＨＦＮ）であり、第２の半セグメントはＳＮである。Ｎｅｘｔ＿ＰＤＣＰ＿ＴＸ＿ＳＮは、ＰＤＣＰエンティティの次のＰＤＣＰ  ＳＤＵのＰＤＣＰ  ＳＮであり、ＴＸ＿ＨＦＮは、カウント値を生成するために用いられるＨＦＮである。
【００７８】
５Ｇシステムでは、基地局および端末デバイスの両方がデータパケット前処理機能を有する。具体的には、エアインタフェースが伝送リソースを有していない前に、ＰＤＣＰエンティティは、ＳＤＵをシーケンス番号に関連付け、当該ＳＤＵに対応するＰＤＵをＲＬＣエンティティへ配信する。しかしながら、ＰＤＣＰが再確立された後は、従来技術では、第１のＳＤＵがＳＮに関連付けられているので、ＰＤＣＰエンティティは、第１のＳＤＵをシーケンス番号に再び関連付けることはせず、結果的に、第１のＳＤＵに含まれるデータパケットが失われる。例えば、ＰＤＣＰエンティティが再確立されている場合、ＰＤＣＰ  ＰＤＵ３〜９は、前処理を通じてＲＬＣエンティティおよびＭＡＣエンティティへ配信されているが、エアインタフェースを通じて送信されてはいない。ＰＤＣＰエンティティが再確立された後は、ＰＤＣＰ  ＰＤＵ３〜９は、ＰＤＣＰエンティティによりシーケンス番号に関連付けられているので、再伝送されない。ＰＤＣＰの再確立は、セルのハンドオーバにより生じ得るか、または生じ得ないことに留意されたい。
【００７９】
新しいアーキテクチャ、すなわち、ＣＵ／ＤＵの分離シナリオが５Ｇシステムに導入されている。１つのＣＵ複数のＤＵを制御し得る。例えば、ＣＵが変更されない場合、端末デバイスは、１つのＤＵから別のＤＵへハンドオーバされる。セルが変更されるが、基地局側のＰＤＣＰ層がＣＵ側に位置しているので、ＰＤＣＰエンティティは、変更されない。このシナリオではセルのハンドオーバが発生するが、ＰＤＣＰエンティティは依然として、ハンドオーバの前に用いられていたキーを用いる。このシナリオでは、前処理により生じるデータパケット損失も発生する。ＰＤＣＰエンティティは、ＲＲＣエンティティにより送信されるインジケーション情報を受信し得る。インジケーション情報は、セルのハンドオーバが発生しているが、ＵＭ  ＤＲＢを介したＰＤＣＰエンティティがハンドオーバの前に用いられていたキーを用いていることを示すために用いられる。例えば、ＲＲＣエンティティは、１ビットのインジケーション情報を用いることにより、セルのハンドオーバが発生しているが、ＵＭ  ＤＲＢを介したＰＤＣＰエンティティがハンドオーバの前に用いられていたキーを用いていることを示し得る。
【００８０】
ＰＤＣＰの前処理により生じるデータパケット損失という課題を解決するために、本実施形態では、ＵＭ  ＤＲＢを介したＰＤＣＰエンティティが再確立されている場合、または、セルのハンドオーバが発生しているが、ＵＭ  ＤＲＢを介したＰＤＣＰエンティティがハンドオーバの前に用いられていたキーを用いている場合、ＰＤＣＰエンティティは、第１のＳＤＵを決定する。
第１のＳＤＵは、
ＳＤＵであって、ＳＮに関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００８１】
任意選択的に、ＰＤＣＰエンティティは、インジケーション情報を受信する。インジケーション情報は、第１のＳＤＵに対応するＰＤＵをＲＬＣエンティティへ配信するよう命令するために用いられる。ＰＤＣＰエンティティは、インジケーション情報に基づいて第１のＳＤＵを決定する。インジケーション情報は、基地局により端末デバイスへ送信される。その後、ＵＭ  ＤＲＢを介したＰＤＣＰエンティティが再確立されている場合、または、セルのハンドオーバが発生しているが、ＵＭ  ＤＲＢを介したＰＤＣＰエンティティがハンドオーバの前に用いられていたキーを用いている場合、ＲＬＣエンティティは、ビットマップ（ｂｉｔｍａｐ）を用いることにより、ＲＬＣエンティティへ配信される必要があるＰＤＵに対応するＳＤＵについての情報をＰＤＣＰに通知し得る。ビットマップは複数のビット（ｂｉｔ）を含んでよく、各ビットは１つのＰＤＣＰ  ＰＤＵのカウント値に対応し、各ビット値は０または１である。ＲＬＣエンティティは、ＰＤＣＰエンティティによりＲＬＣエンティティへ最近配信されているＰＤＵのカウント値から始まってよく、カウント値に対応するＰＤＣＰ  ＰＤＵがエアインタフェースで既に伝送されていることを示すために１が用いられ、カウント値に対応するＰＤＣＰ  ＰＤＵがエアインタフェースで伝送されていないことを示すために０が用いられる。各ＰＤＣＰ  ＰＤＵは、１つのＰＤＣＰ  ＳＤＵに対応する。ＰＤＣＰエンティティは、ＰＤＣＰ  ＰＤＵがエアインタフェースで伝送されているかどうかに基づいて、ＰＤＣＰ  ＰＤＵに対応するＰＤＣＰ  ＳＤＵがＲＬＣエンティティへ再配信される必要があるかどうかを認識する。代替的に、カウント値に対応するＰＤＣＰ  ＰＤＵがＲＬＣエンティティへ再配信される必要があることを示すために１が用いられ、カウント値に対応するＰＤＣＰ  ＰＤＵがＲＬＣエンティティへ再配信される必要がないことを示すために０が用いられる。ＰＤＣＰエンティティは、ＰＤＣＰ  ＰＤＵに対応するＰＤＣＰ  ＳＤＵに基づいて、第１のＳＤＵが必要とされていることを認識する。任意選択的に、ＲＬＣエンティティは、代替的に、再配信される必要があるＰＤＣＰ  ＰＤＵの最小カウント値をＰＤＣＰエンティティに直接通知し得る。ＰＤＣＰエンティティは、最小カウント値に基づいて、ＲＬＣエンティティへ再配信される必要があるＰＤＣＰ  ＰＤＵを取得し、ＰＤＣＰ  ＰＤＵに対応するＰＤＣＰ  ＳＤＵに基づいて、第１のＳＤＵを取得する。ＳＮに関連付けられてはいるがＲＬＣエンティティへ配信されていないＳＤＵについて、ＰＤＣＰエンティティは、バッファからＳＤＵを取得し、当該ＳＤＵを第１のＳＤＵとして用い得る。
【００８２】
段階Ｓ１０２：ＰＤＣＰエンティティが、第１のＳＤＵに対応するＰＤＵをＲＬＣエンティティへ配信する。
【００８３】
例えば、ＰＤＣＰエンティティが、第１のＳＤＵは上位層からのものであるとみなし（ｃｏｎｓｉｄｅｒ）、次に、第１のＳＤＵに対応するＰＤＵをＲＬＣエンティティへ昇順で配信する。１または複数の第１のＳＤＵが存在し得る。
【００８４】
ＰＤＣＰエンティティが再確立されるシナリオでは、ＰＤＣＰエンティティは、再確立の前に用いられている、第１のＳＤＵの一連のカウント値のうち、再確立の後に用いられるカウント値を用いて、第１のＳＤＵをソートする。ＰＤＣＰエンティティが再確立された後に用いられるカウント値は、初期値に設定される。再確立の前および後に用いられる第１のＳＤＵのカウント値は異なるが、一連の第１のＳＤＵは変化しないままである。例えば、３つの第１のＳＤＵが存在し、ＳＤＵ１のカウントは７であり、ＳＤＵ２のカウント値は８であり、ＳＤＵ３のカウント値は９である。ＰＤＣＰエンティティが再確立された後に用いられるカウント値は、初期値に設定される。カウント値の初期値が０であると仮定すると、ＰＤＣＰエンティティが再確立された後は、ＳＤＵ１のカウント値は０であり、ＳＤＵ２のカウント値は１であり、ＳＤＵ３のカウント値は２である。言い換えると、ＰＤＣＰエンティティが再確立された後は、第１のＳＤＵ間のシーケンス関係は変化しないままである。
【００８５】
セルのハンドオーバが発生しているが、ＵＭ  ＤＲＢを介したＰＤＣＰエンティティがハンドオーバの前に用いられていたキーを用いているシナリオでは、ＰＤＣＰエンティティにより下位層エンティティへ配信されるデータパケットのカウント値が初期値から始まってよく、または、ハンドオーバの前に用いられていたカウント値が維持されてよい。
【００８６】
任意選択的に、ＰＤＣＰエンティティは、第１のＳＤＵに対応する第１のタイマを再始動させない。第１のタイマは、ＰＤＣＰエンティティが上位層から第１のＳＤＵを受信した場合、ＰＤＣＰエンティティにより始動させられる。第１のタイマは、パケット損失タイマであってよい。パケット損失タイマは、データパケットの時間有効性を制御するように構成される。データパケットが伝送されていない場合において、第１のタイマが満了したときは、データパケットは、その後伝送されるとしても、依然として、無効なパケットである。従って、本実施形態において、第１のＳＤＵは、データパケットの有効性を保証するために、再確立の前に用いられていた第１のタイマまたはセルのハンドオーバの前に用いられていた第１のタイマを依然として用いる。
【００８７】
任意選択的に、上述の２つのシナリオでは、バッファにおけるＳＤＵの第１のタイマが満了する前に、ＰＤＣＰエンティティはさらに、エアインタフェースを通じて既に伝送されている全てのＳＤＵを破棄し得る。既存のメカニズムでは、ＰＤＣＰエンティティは、各ＳＤＵについて１つの第１のタイマを始動させる。ＳＤＵに含まれるデータパケットがエアインタフェースを通じて既に伝送されているとしても、当該ＳＤＵは、依然としてバッファに格納され、ＰＤＣＰエンティティは、当該ＳＤＵの第１のタイマのタイミングが満了した場合にのみ、バッファから当該ＳＤＵを削除する。本実施形態において、当該ＳＤＵは、エアインタフェースから送信された後に、バッファのオーバーフローを回避するために、バッファから適時に削除される。
【００８８】
本実施形態において、ＰＤＣＰエンティティは、ＲＬＣエンティティへ配信される必要がある第１のＳＤＵであって、ＰＤＣＰエンティティによりシーケンス番号に関連付けられており、エアインタフェースを通じて伝送されていないＳＤＵである、第１のＳＤＵを決定し、第１のＳＤＵに対応するＰＤＵをＲＬＣエンティティへ配信する。第１のＳＤＵは、ＰＤＣＰエンティティの前処理により生じるデータパケット損失を回避するために再配信される。
【００８９】
図１および図２に示されるネットワークアーキテクチャに基づいて、本願の実施形態２は、データ処理方法を提供する。図４は、本願の実施形態２によるデータ処理方法のフローチャートである。本実施形態において、第２のデバイスが基地局または別のネットワークデバイスであってよく、第１のデバイスが端末デバイスである。図４に示されるように、本実施形態において提供される方法は、以下の段階を含む。
【００９０】
段階Ｓ２０１：第２のデバイスが第１のメッセージを第１のデバイスへ送信する。第１のメッセージは、データ回復（ｄａｔａ  ｒｅｃｏｖｅｒｙ）、データパケットのクリアおよび第１のＳＤＵに対応するＰＤＵのＲＬＣエンティティへの配信というオペレーションのうちの少なくとも１つを実行するよう第１のデバイスに命令するために用いられ、第１のＳＤＵは、ＰＤＣＰエンティティによりシーケンス番号に関連付けられてはいるが、対応するデータがエアインタフェースを通じて伝送されていないＳＤＵである。
【００９１】
任意選択的に、セルのハンドオーバが発生しており、ＰＤＣＰエンティティがハンドオーバの前に用いられていたキーを用いている場合、第２のデバイスは、第１のメッセージを第１のデバイスへ送信する。
【００９２】
段階Ｓ２０２：第１のデバイスが、第２のデバイスにより送信される第１のメッセージを受信する。
【００９３】
任意選択的に、セルのハンドオーバが発生しており、ＰＤＣＰエンティティがハンドオーバの前に用いられていたキーを用いている場合、第１のデバイスは、第２のデバイスにより送信される第１のメッセージを受信する。
【００９４】
ＰＤＣＰエンティティがＡＭ  ＤＲＢを介したＰＤＣＰエンティティである場合、第１のメッセージは、データを回復するよう第１のデバイスに命令するために用いられる。
【００９５】
ＰＤＣＰエンティティがＵＭ  ＤＲＢを介したＰＤＣＰエンティティである場合、第１のメッセージは、第１のＳＤＵに対応するＰＤＵをＲＬＣエンティティへ配信するよう第１のデバイスのＰＤＣＰエンティティに命令するために用いられる。
第１のＳＤＵは、
ＳＤＵであって、ＳＮに関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００９６】
ＰＤＣＰエンティティがＳＲＢを介したＰＤＣＰエンティティである場合、第１のメッセージは、データパケットをクリアするよう第１のデバイスに命令するために用いられる。ＳＲＢは、ＲＬＣ層によりユーザのために提供されるサービスであり、主に、シグナリングを保持するために用いられる。例えば、ＬＴＥシステムにおいて、ＳＲＢは、非アクセス層（Ｎｏｎ−ａｃｃｅｓｓ  ｓｔｒａｔｕｍ、ＮＡＳ）メッセージおよび無線リソース制御（Ｒａｄｉｏ  Ｒｅｓｏｕｒｃｅ  Ｃｏｎｔｒｏｌ、ＲＲＣ）メッセージのみを伝送するために用いられる。任意選択的に、第１のメッセージにより示されるクリア済みのデータパケットは、ＰＤＣＰエンティティに格納された全てのＳＤＵおよびＰＤＵを含む。
【００９７】
第２のデバイスは、データ回復、データパケットのクリアおよび第１のＳＤＵに対応するＰＤＵのＲＬＣエンティティへの配信というオペレーションのうちの少なくとも１つを実行するよう第１のデバイスに明示的にまたは黙示的に命令し得る。具体的には、インジケーションは、以下の方式で実行され得る。
【００９８】
第１のインジケーション方式では、第１のメッセージは、第１のインジケーションおよび第２のインジケーションを含む。第１のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。第２のインジケーションは、当該ＲＬＣエンティティを再確立するよう命令するために用いられる。
【００９９】
第１のメッセージは、１つのメッセージは示さないが、１つのタイプのメッセージを示すことに留意されたい。このタイプのメッセージは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。従って、第１のインジケーションおよび第２のインジケーションは、同じメッセージにおいて送信され得るか、または異なるメッセージにおいて送信され得る。
【０１００】
第２のインジケーション方式では、第１のメッセージは、第３のインジケーションを含む。第３のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられ、さらに、ＰＤＣＰを再確立するよう命令するために用いられる。この方式では、既存のＰＤＣＰ再確立インジケーションが再使用される。具体的には、第３のインジケーションは、ＰＤＣＰを再確立するよう命令するためにのみ用いられるのではなく、データ回復、データパケットのクリアおよび第１のＳＤＵに対応するＰＤＵのＲＬＣエンティティへの配信というオペレーションのうちの少なくとも１つを実行するよう命令するためにも用いられ得る。
【０１０１】
任意選択的に、第３のインジケーションは、少なくとも２つの値を含む。これら少なくとも２つの値のいくつかが、ＰＤＣＰを再確立するよう命令するために用いられ、これら少なくとも２つの値の残りが、データ回復、データパケットのクリアおよび第１のＳＤＵに対応するＰＤＵのＲＬＣエンティティへの配信というオペレーションのうちの少なくとも１つを実行するよう命令するために用いられる。例えば、第３のインジケーションは、２つの値を含む。これら２つの値のうちの一方が、ＰＤＣＰを再確立するよう命令するために用いられ、これら２つの値のうちの他方が、データ回復、データパケットのクリアおよび第１のＳＤＵに対応するＰＤＵのＲＬＣエンティティへの配信というオペレーションのうちの少なくとも１つを実行するよう命令するために用いられる。
【０１０２】
任意選択的に、第３のインジケーションは、代替的に、マルチビット値、例えば、２ビット値でよく、データ回復、データパケットのクリアおよび第１のＳＤＵに対応するＰＤＵのＲＬＣエンティティへの配信というオペレーションのうちの少なくとも１つを実行するよう命令するために用いられる。
【０１０３】
任意選択的に、別のインジケーションが第３のインジケーションとしてさらに再使用され得る。
【０１０４】
第３のインジケーション方式では、第１のメッセージは、第４のインジケーションおよび第５のインジケーションを含む。第４のインジケーションは、ＰＤＣＰエンティティを再確立するよう命令するために用いられる。第５のインジケーションは、既存のキーを用いるようＰＤＣＰエンティティに命令するために用いられる。任意選択的に、第５のインジケーションは、キーの更新のために必要となる情報およびキーを変更するかどうかについての情報というパラメータのうちの少なくとも一方を含む。キーを変更するかどうかについての情報は、ビットを用いることにより示され得る。例えば、ビットの値が１である場合、これは、変更する必要があるキー、言い換えると、ＰＤＣＰエンティティが再確立された後に用いられるキーが用いられていることを示す。ビットの値が０である場合、これは、キーを変更する必要がないことを示す。
【０１０５】
任意選択的に、第４のインジケーションおよび第５のインジケーションは、同じメッセージにおいて送信され得るか、または異なるメッセージにおいて送信され得る。
【０１０６】
第４のインジケーション方式では、第１のメッセージは、第６のインジケーションを含み、第６のインジケーションは、ＲＬＣエンティティを再確立するよう命令するために用いられる。第１のデバイスが第７のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第７のインジケーションは、ＰＤＣＰエンティティを再確立するよう命令するために用いられる。
【０１０７】
第５のインジケーション方式では、第１のメッセージは、第８のインジケーションを含み、第８のインジケーションは、ＰＤＣＰエンティティを再確立するよう命令するために用いられる。第１のデバイスが第９のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第９のインジケーションは、キー情報を示すために用いられる。
【０１０８】
段階Ｓ２０３：第１のデバイスが、第１のメッセージに基づいて、対応するオペレーションを実行する。
【０１０９】
具体的には、ＡＭ  ＤＲＢシナリオでは、第１のデバイスは、第１のメッセージに基づいてデータを回復する。ＵＭ  ＤＲＢシナリオでは、第１のデバイスは、第１のメッセージに基づいて、第１のＳＤＵに対応するＰＤＵをＲＬＣエンティティへ配信する。ＳＲＢシナリオでは、第１のデバイスは、第１のメッセージに基づいてデータパケットをクリアする。
【０１１０】
ＡＭ  ＤＲＢシナリオでは、既存のメカニズムにおいて、第１のデバイスは、シナリオの変更に基づいて、データを回復するかどうかを決定する必要がある。データ回復とは、伝送端、すなわち、ＰＤＣＰエンティティが、肯定応答フィードバックが受信側から受信されていないデータパケットを、ＲＬＣエンティティを用いることにより認識し、次に、肯定応答フィードバックが受信されていないデータパケットを再伝送することである。本実施形態における解決手段では、第２のデバイスが、データを回復するよう第１のデバイスに明示的に命令することにより、実装が単純になる。
【０１１１】
ＵＭ  ＤＲＢシナリオでは、第２のデバイスが、第１のＳＤＵに対応するＰＤＵをＲＬＣエンティティへ配信するよう第１のデバイスに命令することにより、ＰＤＣＰエンティティの前処理により生じるデータパケット損失を回避できる。
【０１１２】
ＳＲＢシナリオでは、ＳＲＢについて、ＰＤＣＰエンティティのみが再確立される。ＰＤＣＰエンティティの再確立中に、ＴＸ＿ＮＥＸＴの初期値への設定、バッファ内に格納された全てのＰＤＣＰ  ＳＤＵおよびＰＤＵの削除、新しい暗号化アルゴリズムおよび新しいキーの使用ならびに新しい完全性保護の実行および新しいキーの使用というオペレーションが実行される。セルのハンドオーバが発生しており、ＳＲＢを介したＰＤＣＰエンティティがハンドオーバの前に用いられていたキーを用いている場合、ＰＤＣＰエンティティは、ＰＤＣＰエンティティに格納されたデータパケットを処理しない。ＳＲＢにおけるデータパケットはセルに関連しているので、セルのハンドオーバの後に、ＳＲＢにおける満了情報が新しいセルへ送信され得る。しかしながら、ＳＲＢについて、セルのハンドオーバ中には、ＰＤＣＰエンティティのみが再確立されている。従って、キーの変更がないセルのハンドオーバ中に、ＳＲＢにおける満了情報は、新しいセルに送信され得る。本実施形態において、第２のデバイスは、セルのハンドオーバが発生しており、ＳＲＢを介したＰＤＣＰエンティティがハンドオーバの前に用いられていたキーを用いている場合、バッファに格納されたデータパケットをクリアして新しいセルへの満了情報の送信を回避するよう、第１のメッセージを用いることによりＰＤＣＰエンティティに命令する。
【０１１３】
図５は、本願の実施形態３によるデータ処理装置の概略構造図である。図５に示されるように、本実施形態において提供されるデータ処理装置は、プロセッサ１１と、メモリ１２と、トランシーバ１３とを備える。メモリ１２は、命令を格納するように構成され、トランシーバ１３は、別のデバイスと通信するように構成され、プロセッサ１１が、メモリ１２に格納された命令を実行するように構成されることにより、データ処理装置が実施形態１におけるデータ処理方法を実行する。具体的な実装および技術的効果は、実施形態１におけるデータ処理方法のものと同様である。ここでは詳細を再度説明しない。
【０１１４】
図６は、本願の実施形態４による第１のデバイスの概略構造図である。図６に示されるように、本実施形態において提供される第１のデバイスは、プロセッサ２１と、メモリ２２と、トランシーバ２３とを備える。メモリ２２は、命令を格納するように構成され、トランシーバ２３は、別のデバイスと通信するように構成され、プロセッサ２１が、メモリ２２に格納された命令を実行するように構成されることにより、実施形態２における第１のデバイスにより実行される方法の段階を第１のデバイスが実行する。具体的な実装および技術的効果は、実施形態２における第１のデバイスのものと同様である。ここでは詳細を再度説明しない。
【０１１５】
図７は、本願の実施形態５による第２のデバイスの概略構造図である。図７に示されるように、本実施形態において提供される第２のデバイスは、プロセッサ３１と、メモリ３２と、トランシーバ３３とを備える。メモリ３２は、命令を格納するように構成され、トランシーバ３３は、別のデバイスと通信するように構成され、プロセッサ３１が、メモリ３２に格納された命令を実行するように構成されることにより、実施形態２において第２のデバイスにより実行される方法の段階を第２のデバイスが実行する。具体的な実装および技術的効果は、実施形態２における第２のデバイスのものと同様である。ここでは詳細を再度説明しない。
【０１１６】
図８は、本願の実施形態６による通信システムの概略構造図である。図８に示されるように、本実施形態において提供される通信システムは、第１のデバイス４１および第２のデバイス４２を備える。第１のデバイス４１は、実施形態２において第１のデバイスにより実行される方法の段階を実行するように構成され、第２のデバイス４２は、実施形態２において第２のデバイスにより実行される方法の段階を実行するように構成される。具体的な実装および技術的効果は、実施形態２における第１のデバイスおよび第２のデバイスのものと同様である。ここでは詳細を再度説明しない。
【０１１７】
図９は、本願の実施形態７によるデータ処理装置の概略構造図である。図９に示されるように、本実施形態において提供されるデータ処理装置は、ＰＤＣＰエンティティ５１およびＲＬＣエンティティ５２を備える。
【０１１８】
ＰＤＣＰエンティティ５１は、第１のサービスデータユニットＳＤＵを決定するように構成される。第１のＳＤＵは、ＰＤＣＰエンティティ５１によりシーケンス番号に関連付けられてはいるが、対応するデータがエアインタフェースを通じて伝送されていないＳＤＵである。
【０１１９】
ＰＤＣＰエンティティ５１はさらに、第１のＳＤＵに対応するプロトコルデータユニットＰＤＵをＲＬＣエンティティ５２へ配信するように構成される。
【０１２０】
任意選択的に、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータが媒体アクセス制御ＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【０１２１】
任意選択的に、ＰＤＣＰエンティティ５１が第１のＳＤＵを決定することは、ＵＭデータ無線ベアラＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、インジケーション情報を受信することであって、インジケーション情報は、第１のＳＤＵに対応するＰＤＵをＲＬＣエンティティへ配信するよう命令するために用いられる、受信することと、とインジケーション情報に基づいて第１のＳＤＵを決定することとを含む。
【０１２２】
任意選択的に、ＰＤＣＰエンティティ５１が第１のＳＤＵに対応するＰＤＵをＲＬＣエンティティへ配信することは、第１のＳＤＵは上位層からのものであるとみなすことと、第１のＳＤＵに対応するＰＤＵをＲＬＣエンティティへ昇順で配信することとを含む。
【０１２３】
任意選択的に、ＰＤＣＰエンティティ５１は、第１のＳＤＵに対応する第１のタイマを再始動させず、第１のタイマは、ＰＤＣＰエンティティ５１が上位層から第１のＳＤＵを受信した場合、ＰＤＣＰエンティティ５１により始動させられる。
【０１２４】
任意選択的に、セルのハンドオーバが発生し、ＵＭ  ＤＲＢを介したＰＤＣＰエンティティがハンドオーバの前に用いられていたキーを用いた後に、第１のＳＤＵのカウント値が初期値から始まるか、または、ハンドオーバの前に用いられていたカウント値が維持される。
【０１２５】
本実施形態において提供されるデータ処理装置は、実施形態１における方法を実行するように構成され得る。具体的な実装および技術的効果は、実施形態１における方法のものと同様である。ここでは詳細を再度説明しない。
【０１２６】
本願の実施形態８は、第１のデバイスを提供する。第１のデバイスは、第２のデバイスにより送信される第１のメッセージを受信するように構成される受信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【０１２７】
任意選択的に、受信モジュールは、具体的には、セルのハンドオーバｌが発生しており、ＰＤＣＰエンティティがハンドオーバの前に用いられていたキーを用いている場合、第２のデバイスにより送信される第１のメッセージを受信するように構成される。
【０１２８】
第１のデバイスは、第１のメッセージに基づいて対応する動作を実行するように構成された処理モジュールをさらに備える。
【０１２９】
本願の実施形態９は、第２のデバイスを提供する。第２のデバイスは、第１のメッセージを第１のデバイスへ送信するように構成される送信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【０１３０】
任意選択的に、送信モジュールは、具体的には、セルのハンドオーバが発生しており。ＰＤＣＰエンティティがハンドオーバの前に用いられていたキーを用いている場合、第２のデバイスが第１のメッセージを第１のデバイスへ送信するように構成される。
【０１３１】
任意選択的に、本願の実施形態８および実施形態９において、ＰＤＣＰエンティティが肯定応答モードＡＭデータ無線ベアラＤＲＢを介したＰＤＣＰエンティティである場合、第１のメッセージは、データを回復するよう第１のデバイスに命令するために用いられ、または、
ＰＤＣＰエンティティが非肯定応答モードＵＭ  ＤＲＢを介したＰＤＣＰエンティティである場合、第１のメッセージは、第１のＳＤＵに対応するＰＤＵをＲＬＣエンティティへ配信するよう第１のデバイスに命令するために用いられ、または、
ＰＤＣＰエンティティがシグナリング無線ベアラＳＲＢを介したＰＤＣＰエンティティである場合、第１のメッセージは、データパケットをクリアするよう第１のデバイスに命令するために用いられる。
【０１３２】
任意選択的に、本願の実施形態８および実施形態９において、第１のメッセージは、第１のインジケーションおよび第２のインジケーションを含む。第１のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。第２のインジケーションは、ＲＬＣエンティティを再確立するよう命令するために用いられる。
【０１３３】
任意選択的に、本願の実施形態８および実施形態９において、第１のインジケーションおよび第２のインジケーションは、同じメッセージにおいて送信されるか、または異なるメッセージにおいて送信される。
【０１３４】
任意選択的に、本願の実施形態８および実施形態９において、第１のメッセージは、第３のインジケーションを含む。
【０１３５】
第３のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられ、さらに、ＰＤＣＰを再確立するよう命令するために用いられる。
【０１３６】
任意選択的に、本願の実施形態８および実施形態９において、第３のインジケーションは、少なくとも２つの値を含む。これら少なくとも２つの値のいくつかが、ＰＤＣＰを再確立するよう命令するために用いられ、これら少なくとも２つの値の残りが、データ回復、データパケットのクリアおよび第１のＳＤＵに対応するＰＤＵのＲＬＣエンティティへの配信というオペレーションのうちの少なくとも１つを実行するよう命令するために用いられる。
【０１３７】
任意選択的に、本願の実施形態８および実施形態９において、第１のメッセージは、第４のインジケーションおよび第５のインジケーションを含む。第４のインジケーションは、ＰＤＣＰエンティティを再確立するよう命令するために用いられる。第５のインジケーションは、既存のキーを用いるようＰＤＣＰエンティティに命令するために用いられる。
【０１３８】
任意選択的に、本願の実施形態８および実施形態９において、第４のインジケーションおよび第５のインジケーションは、同じメッセージにおいて送信されるか、または異なるメッセージにおいて送信される。
【０１３９】
任意選択的に、本願の実施形態８および実施形態９において、第１のメッセージは、第６のインジケーションを含み、第６のインジケーションは、ＲＬＣエンティティを再確立するよう命令するために用いられる。第１のデバイスが第７のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第７のインジケーションは、ＰＤＣＰエンティティを再確立するよう命令するために用いられる。
【０１４０】
任意選択的に、本願の実施形態８および実施形態９において、第１のメッセージは、第８のインジケーションを含み、第８のインジケーションは、ＰＤＣＰエンティティを再確立するよう命令するために用いられる。第１のデバイスが第９のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第９のインジケーションは、キー情報を示すために用いられる。
【０１４１】
任意選択的に、本願の実施形態８および実施形態９において、第５のインジケーションは、キーの更新のために必要となる情報およびキーを変更するかどうかについての情報というパラメータのうちの少なくとも一方を含む。
【０１４２】
任意選択的に、本願の実施形態８および実施形態９において、第１のメッセージにより示されるクリア済みのデータパケットは、ＰＤＣＰエンティティに格納された全てのＳＤＵおよびＰＤＵを含む。
【０１４３】
任意選択的に、本願の実施形態８および実施形態９において、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【０１４４】
本願におけるデータ処理装置、第１のデバイスおよび第２のデバイスにより用いられるプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェアコンポーネントまたはそれらの任意の組み合わせであってよいことが理解され得る。プロセッサは、本願において開示された内容に関連して説明された様々な例示的な論理ブロック、モジュールおよび回路を実装または実行し得る。プロセッサは、コンピューティング機能を実装したプロセッサの組み合わせ、例えば、１または複数のマイクロプロセッサの組み合わせまたはＤＳＰとマイクロプロセッサとの組み合わせであってよい。
【０１４５】
本願におけるバスは、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、ペリフェラルコンポーネント相互接続（Ｐｅｒｉｐｈｅｒａｌ  Ｃｏｍｐｏｎｅｎｔ、ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってよい。バスは、アドレスバス、データバス、制御バス等に分類され得る。表現を容易にするために、本願の添付図面におけるバスは、ただ１つのバスまたはただ１つのタイプのバスに限定されない。
【０１４６】
本願において提供されるいくつかの実施形態では、開示された装置および方法が別の方式で実装されてよいことを理解されたい。例えば、上記の説明された装置の実施形態は、例に過ぎない。例えば、ユニットへの分割は、論理的機能の分割に過ぎず、実際の実装では他の分割であってよい。例えば、複数のユニットまたはコンポーネントが組み合わされても別のシステムに統合されてもよく、いくつかの機能が無視されても実行されなくてもよい。加えて、表示または議論された相互結合もしくは直接結合または通信接続は、いくつかのインタフェースを用いることにより実装されてよい。装置間またはユニット間の間接結合または通信接続は、電子的形態、機械的形態または別の形態で実装されてよい。
【０１４７】
別個の部分として説明されたユニットは、物理的に別個であってもそうでなくてもよく、ユニットとして表示された部分は、物理的ユニットであってもそうでなくてもよく、１箇所に位置していても複数のネットワークユニット上に分散していてもよい。これらのユニットのいくつかまたは全てが、実施形態の解決手段の目的を達成するために、実際の要件に基づいて選択されてよい。
【０１４８】
加えて、本願の実施形態における機能ユニットが１つの処理ユニットに統合されてもよく、当該ユニットの各々が物理的に単独で存在してもよく、２つまたはそれより多くのユニットが１つのユニットに統合されてもよい。統合されたユニットは、ハードウェアの形態で実装されても、ソフトウェア機能ユニットに加えてハードウェアの形態で実装されてもよい。
【図１】
2021503729.tif 000003
【図２】
2021503729.tif 000004
【図３】
2021503729.tif 000005
【図４】
2021503729.tif 000006
【図５】
2021503729.tif 000007
【図６】
2021503729.tif 000008
【図７】
2021503729.tif 000009
【図８】
2021503729.tif 000010
【図９】
2021503729.tif 000011
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
セルのハンドオーバが発生しており、ＰＤＣＰエンティティが、前記ハンドオーバの前に用いられていたキーを用いている場合、
第１のデバイスが、第２のデバイスにより送信される第１のメッセージを受信する段階であって、前記第１のメッセージは、データパケットをクリアするよう前記第１のデバイスに命令するために用いられる、段階
を備えるデータ処理方法。
【請求項２】
セルのハンドオーバが発生しており、ＰＤＣＰエンティティが、前記ハンドオーバの前に用いられていたキーを用いている場合、
第２のデバイスが第１のメッセージを第１のデバイスへ送信する段階であって、前記第１のメッセージは、データパケットをクリアするよう前記第１のデバイスに命令するために用いられる、段階
を備えるデータ処理方法。
【請求項３】
前記ＰＤＣＰエンティティが肯定応答モードＡＭデータ無線ベアラＤＲＢを介したＰＤＣＰエンティティである場合、前記第１のメッセージは、データを回復するよう前記第１のデバイスに命令するために用いられ、または、
前記ＰＤＣＰエンティティが非肯定応答モードＵＭ  ＤＲＢを介したＰＤＣＰエンティティである場合、前記第１のメッセージは、第１のＳＤＵに対応するＰＤＵをＲＬＣエンティティへ配信するよう前記第１のデバイスに命令するために用いられ、または、
前記ＰＤＣＰエンティティがシグナリング無線ベアラＳＲＢを介したＰＤＣＰエンティティである場合、前記第１のメッセージは、前記データパケットをクリアするよう前記第１のデバイスに命令するために用いられる、
請求項１または２に記載のデータ処理方法。
【請求項４】
前記第１のメッセージは、第１のインジケーションおよび第２のインジケーションを含み、
前記第１のインジケーションは、データ回復、データパケットの前記クリアおよび第１のＳＤＵに対応するＰＤＵのＲＬＣエンティティへの配信というオペレーションのうちの少なくとも１つを実行するよう前記第１のデバイスに命令するために用いられ、
前記第２のインジケーションは、前記ＲＬＣエンティティを再確立するよう命令するために用いられる、
請求項１または２に記載のデータ処理方法。
【請求項５】
前記第１のインジケーションおよび前記第２のインジケーションは、同じメッセージにおいて送信されるか、または異なるメッセージにおいて送信される、請求項４に記載のデータ処理方法。
【請求項６】
前記第１のメッセージは、第３のインジケーションを含み、
前記第３のインジケーションは、データ回復、データパケットの前記クリアおよび第１のＳＤＵに対応するＰＤＵのＲＬＣエンティティへの配信というオペレーションのうちの少なくとも１つを実行するよう前記第１のデバイスに命令するために用いられ、さらに、ＰＤＣＰを再確立するよう命令するために用いられる、
請求項１または２に記載のデータ処理方法。
【請求項７】
前記第３のインジケーションは、少なくとも２つの値を含み、
前記少なくとも２つの値のいくつかが、ＰＤＣＰを再確立するよう命令するために用いられ、前記少なくとも２つの値の残りが、前記データ回復、データパケットの前記クリアおよび前記第１のＳＤＵに対応するＰＤＵのＲＬＣエンティティへの前記配信というオペレーションのうちの前記少なくとも１つを実行するよう命令するために用いられる、
請求項６に記載のデータ処理方法。
【請求項８】
前記第１のメッセージは、第４のインジケーションおよび第５のインジケーションを含み、
前記第４のインジケーションは、前記ＰＤＣＰエンティティを再確立するよう命令するために用いられ、
前記第５のインジケーションは、既存のキーを用いるよう前記ＰＤＣＰエンティティに命令するために用いられる、
請求項１または２に記載のデータ処理方法。
【請求項９】
前記第４のインジケーションおよび前記第５のインジケーションは、同じメッセージにおいて送信されるか、または異なるメッセージにおいて送信される、請求項８に記載のデータ処理方法。
【請求項１０】
前記第１のメッセージは、第６のインジケーションを含み、前記第６のインジケーションは、ＲＬＣエンティティを再確立するよう命令するために用いられ、
前記第１のデバイスが第７のインジケーションを受信しなかった場合、前記第１のメッセージは、データ回復、データパケットの前記クリアおよび第１のＳＤＵに対応するＰＤＵの前記ＲＬＣエンティティへの再配信というオペレーションのうちの少なくとも１つを実行するよう前記第１のデバイスに命令するために用いられ、前記第７のインジケーションは、前記ＰＤＣＰエンティティを再確立するよう命令するために用いられる、
請求項１または２に記載のデータ処理方法。
【請求項１１】
前記第１のメッセージにより示されるクリア済みの前記データパケットは、前記ＰＤＣＰエンティティに格納された全てのＳＤＵおよびＰＤＵを含む、請求項１または２に記載のデータ処理方法。
【請求項１２】
プロセッサと、メモリと、トランシーバとを備える第１のデバイスであって、前記メモリは、命令を格納するように構成され、前記トランシーバは、別のデバイスと通信するように構成され、前記プロセッサが、前記メモリに格納された前記命令を実行するように構成されることにより、前記第１のデバイスが請求項１から１１のいずれか一項に記載のデータ処理方法を実行する、第１のデバイス。
【請求項１３】
プロセッサと、メモリと、トランシーバとを備える第２のデバイスであって、前記メモリは、命令を格納するように構成され、前記トランシーバは、別のデバイスと通信するように構成され、前記プロセッサが、前記メモリに格納された前記命令を実行するように構成されることにより、前記第２のデバイスが請求項２から１１のいずれか一項に記載のデータ処理方法を実行する、第２のデバイス。
【請求項１４】
請求項１から１１のいずれか一項に記載のデータ処理方法をコンピュータに実行させるプログラム。
【請求項１５】
第１のデバイスおよび第２のデバイスを備え、前記第１のデバイスは、請求項１から１１のいずれか一項に記載のデータ処理方法を実行するように構成され、前記第２のデバイスは、請求項２から１１のいずれか一項に記載のデータ処理方法を実行するように構成される、通信システム。
【手続補正２】
【補正対象書類名】明細書
【補正対象項目名】全文
【補正方法】変更
【補正の内容】
【発明の詳細な説明】
【技術分野】
【０００１】
本願は、通信技術、特に、データ処理方法およびデータ処理装置ならびにコンピュータ記憶媒体に関する。
【背景技術】
【０００２】
無線インタフェースプロトコルスタックが、物理層、リンク層およびネットワーク層という３つの層に分割される。リンク層は、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リンク制御（Ｒａｄｉｏ  Ｌｉｎｋ  Ｃｏｎｔｒｏｌ、ＲＬＣ）層および媒体アクセス制御（Ｍｅｄｉａ  Ａｃｃｅｓｓ  Ｃｏｎｔｒｏｌ、ＭＡＣ）層を含む。ＰＤＣＰ層は、ＲＬＣ層の上方に位置し、ＲＬＣ層は、ＭＡＣ層の上方に位置する。ＰＤＣＰ層は、ユーザプレーンデータのパケットヘッダを圧縮および圧縮解除し、ユーザプレーンデータを暗号化および復号化し、制御プレーンデータ等に対して完全性の保護を実行し、当該データをＲＬＣ層へ順次配信するために用いられる。一連の当該データが、ＰＤＣＰ層における当該データに関連付けられたシーケンス番号（Ｓｅｑｕｅｎｃｅ  Ｎｕｍｂｅｒ、ＳＮ）を用いることにより確保される。ＲＬＣ層は、ユーザデータおよび制御データのためのセグメント化サービスおよび再伝送サービスを提供する。ＲＬＣ層は、透明モード（ＴＭ）、非肯定応答モード（Ｕｎａｃｋｎｏｗｌｅｄｇｅｄ  Ｍｏｄｅ、ＵＭ）および肯定応答モード（Ａｃｋｎｏｗｌｅｄｇｅ  Ｍｏｄｅ、ＡＭ）という３つのモードで動作する。ＲＬＣ層は、処理済みのデータをＭＡＣ層へ配信し、ＭＡＣ層は、当該データを処理し、次に、処理済みのデータを物理層へ配信し、物理層は、エアインタフェースを通じて当該データを送信する。
【０００３】
ロングタームエボリューション（Ｌｏｎｇ  Ｔｅｒｍ  Ｅｖｏｌｕｔｉｏｎ、ＬＴＥ）システムでは、ＰＤＣＰは、端末デバイスが１つのセルから別のセルへハンドオーバされるときに再確立中である。ＰＤＣＰが再確立された後に、伝送端がＵＭモードデータ無線ベアラ（Ｄａｔａ  Ｒａｄｉｏ  Ｂｅａｒｅｒ、ＤＲＢ）をいくつかの方式で処理する。当該方式は、Ｎｅｘｔ＿ＰＤＣＰ＿ＴＸ＿ＳＮおよびＴＸ＿ＨＦＮをゼロに設定し、新しい暗号化方式および新しいキーを用い、既にＳＮに関連付けられているＰＤＣＰサービスデータユニット（Ｓｅｒｖｉｃｅ  Ｄａｔａ  Ｕｎｉｔ、ＳＤＵ）について、これらのＳＤＵに対応するプロトコルデータユニット（Ｐｒｏｔｏｃｏｌ  Ｄａｔａ  Ｕｎｉｔ、ＰＤＵ）が下位層へ配信されていない場合、パケット損失タイマ（破棄タイマ）を再始動させることなく、これらのＳＤＵが上位層から受信されており、ＰＤＣＰが再確立される前に関連付けられたカウント値ＣＯＵＮＴ（カウント値は３２ビット数であり、第１の半セグメントはハイパーフレーム番号ＨＦＮであり、第２の半セグメントはシーケンス番号ＳＮである）に基づいて昇順で伝送されているものとみなす、というものである。
【０００４】
しかしながら、第５世代（５−Ｇｅｎｅｒａｔｉｏｎ、５Ｇ）モバイル通信システムでは、基地局および端末デバイスがデータパケット前処理機能を有する。具体的には、任意の伝送リソースがエアインタフェースに到達する前に、ＰＤＣＰエンティティがＰＤＣＰ  ＰＤＵをＲＬＣエンティティへ配信することにより、ＲＬＣエンティティは、ＲＬＣ  ＰＤＵを生成する。ＰＤＣＰが再確立された後に、ＰＤＣＰエンティティによりデータがＲＬＣエンティティへ配信され、ＭＡＣエンティティがエアインタフェースを通じて送信されず、ＲＬＣエンティティおよびＭＡＣエンティティが前処理済みのデータを再伝送しなかった場合、当該データは失われる。
【発明の概要】
【０００５】
本願は、ＰＤＣＰエンティティの前処理により生じるデータパケット損失を回避するために、データ処理方法およびデータ処理装置ならびにコンピュータ記憶媒体を提供する。
【０００６】
本願の第１の態様は、データ処理方法を提供する。
データ処理方法は、
ＰＤＣＰエンティティが第１のＳＤＵを決定する段階であって、第１のＳＤＵは、ＰＤＣＰエンティティによりシーケンス番号に関連付けられてはいるが、対応するデータがエアインタフェースを通じて伝送されていないＳＤＵである、段階と、
ＰＤＣＰエンティティが、第１のＳＤＵに対応するプロトコルデータユニットＰＤＵをＲＬＣエンティティへ配信する段階と
を備える。
【０００７】
任意選択的に、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータが媒体アクセス制御ＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【０００８】
任意選択的に、ＰＤＣＰエンティティが第１のＳＤＵを決定する段階は、
ＵＭデータ無線ベアラＤＲＢを介したＰＤＣＰエンティティが再確立されている場合、または、セルのハンドオーバが発生しており、ＵＭ  ＤＲＢを介したＰＤＣＰエンティティが、ハンドオーバの前に用いられていたキーを用いている場合、ＰＤＣＰエンティティがインジケーション情報を受信する段階であって、インジケーション情報は、第１のＳＤＵに対応するＰＤＵをＲＬＣエンティティへ配信するよう命令するために用いられる、段階と、
ＰＤＣＰエンティティが、インジケーション情報に基づいて第１のＳＤＵを決定する段階と
を有する。
【０００９】
任意選択的に、ＰＤＣＰエンティティが、第１のＳＤＵに対応するＰＤＵをＲＬＣエンティティへ配信する段階は、
ＰＤＣＰエンティティが、第１のＳＤＵは上位層からのものであるとみなす段階と、
ＰＤＣＰエンティティが、第１のＳＤＵに対応するＰＤＵをＲＬＣエンティティへ昇順で配信する段階と
を有する。
【００１０】
任意選択的に、ＰＤＣＰエンティティは、第１のＳＤＵに対応する第１のタイマを再始動させず、第１のタイマは、ＰＤＣＰエンティティが上位層から第１のＳＤＵを受信した場合、ＰＤＣＰエンティティにより始動させられる。
【００１１】
任意選択的に、セルのハンドオーバが発生し、ＵＭ  ＤＲＢを介したＰＤＣＰエンティティがハンドオーバの前に用いられていたキーを用いた後に、第１のＳＤＵのカウント値が初期値から始まるか、または、ハンドオーバの前に用いられていたカウント値が維持される。
【００１２】
本願の第２の態様は、データ処理方法を提供する。
データ処理方法は、
第１のデバイスが、第２のデバイスにより送信される第１のメッセージを受信する段階であって、第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである、段階
を備える。
【００１３】
セルのハンドオーバが発生しており、ＰＤＣＰエンティティがハンドオーバの前に用いられていたキーを用いている場合、第１のデバイスは、第２のデバイスにより送信される第１のメッセージを受信する。
【００１４】
本願の第３の態様は、データ処理方法を提供する。
データ処理方法は、
第２のデバイスが第１のメッセージを第１のデバイスへ送信する段階であって、第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである、段階
を備える。
【００１５】
任意選択的に、セルのハンドオーバが発生しており、ＰＤＣＰエンティティがハンドオーバの前に用いられていたキーを用いている場合、第２のデバイスは、第１のメッセージを第１のデバイスへ送信する。
【００１６】
本願の第４の態様は、ＰＤＣＰエンティティとＲＬＣエンティティとを備えるデータ処理装置を提供する。
【００１７】
ＰＤＣＰエンティティは、第１のサービスデータユニットＳＤＵを決定するように構成される。第１のＳＤＵは、ＰＤＣＰエンティティによりシーケンス番号に関連付けられてはいるが、対応するデータがエアインタフェースを通じて伝送されていないＳＤＵである。
【００１８】
ＰＤＣＰエンティティはさらに、第１のＳＤＵに対応するプロトコルデータユニットＰＤＵをＲＬＣエンティティへ配信するように構成される。
【００１９】
任意選択的に、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータが媒体アクセス制御ＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００２０】
任意選択的に、ＰＤＣＰエンティティが第１のＳＤＵを決定することは、非肯定応答モードＵＭデータ無線ベアラＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、インジケーション情報を受信することであって、インジケーション情報は、第１のＳＤＵに対応するＰＤＵをＲＬＣエンティティへ配信するよう命令するために用いられる、受信することと、インジケーション情報に基づいて第１のＳＤＵを決定することとを含む。
【００２１】
任意選択的に、ＰＤＣＰエンティティが第１のＳＤＵに対応するＰＤＵをＲＬＣエンティティへ配信することは、第１のＳＤＵは上位層からのものであるとみなすことと、第１のＳＤＵに対応するＰＤＵをＲＬＣエンティティへ昇順で配信することとを含む。
【００２２】
任意選択的に、ＰＤＣＰエンティティは、第１のＳＤＵに対応する第１のタイマを再始動させず、第１のタイマは、ＰＤＣＰエンティティが上位層から第１のＳＤＵを受信した場合、ＰＤＣＰエンティティにより始動させられる。
【００２３】
任意選択的に、セルのハンドオーバが発生し、ＵＭ  ＤＲＢを介したＰＤＣＰエンティティがハンドオーバの前に用いられていたキーを用いた後に、第１のＳＤＵのカウント値が初期値から始まるか、または、ハンドオーバの前に用いられていたカウント値が維持される。
【００２４】
本願の第５の態様は、第１のデバイスを提供する。第１のデバイスは、第２のデバイスにより送信される第１のメッセージを受信するように構成される受信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【００２５】
任意選択的に、受信モジュールは、具体的には、セルのハンドオーバが発生しており、ＰＤＣＰエンティティがハンドオーバの前に用いられていたキーを用いている場合、第２のデバイスにより送信される第１のメッセージを受信するように構成される。
【００２６】
本願の第６の態様は、第２のデバイスを提供する。第２のデバイスは、第１のメッセージを第１のデバイスへ送信するように構成される送信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【００２７】
任意選択的に、送信モジュールは、具体的には、セルのハンドオーバが発生しており。ＰＤＣＰエンティティがハンドオーバの前に用いられていたキーを用いている場合、第２のデバイスが第１のメッセージを第１のデバイスへ送信するように構成される。
【００２８】
任意選択的に、本願の第２の態様、第３の態様、第５の態様および第６の態様において、ＰＤＣＰエンティティが肯定応答モードＡＭデータ無線ベアラＤＲＢを介したＰＤＣＰエンティティである場合、第１のメッセージは、データを回復するよう第１のデバイスに命令するために用いられ、または、
ＰＤＣＰエンティティが非肯定応答モードＵＭ  ＤＲＢを介したＰＤＣＰエンティティである場合、第１のメッセージは、第１のＳＤＵに対応するＰＤＵをＲＬＣエンティティへ配信するよう第１のデバイスに命令するために用いられ、または、
ＰＤＣＰエンティティがシグナリング無線ベアラＳＲＢを介したＰＤＣＰエンティティである場合、第１のメッセージは、データパケットをクリアするよう第１のデバイスに命令するために用いられる。
【００２９】
任意選択的に、本願の第２の態様、第３の態様、第５の態様および第６の態様において、第１のメッセージは、第１のインジケーションおよび第２のインジケーションを含む。
【００３０】
第１のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。
【００３１】
第２のインジケーションは、ＲＬＣエンティティを再確立するよう命令するために用いられる。
【００３２】
任意選択的に、本願の第２の態様、第３の態様、第５の態様および第６の態様において、第１のインジケーションおよび第２のインジケーションは、同じメッセージにおいて送信されるか、または異なるメッセージにおいて送信される。
【００３３】
任意選択的に、本願の第２の態様、第３の態様、第５の態様および第６の態様において、第１のメッセージは、第３のインジケーションを含む。
【００３４】
第３のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられ、さらに、ＰＤＣＰを再確立するよう命令するために用いられる。
【００３５】
任意選択的に、本願の第２の態様、第３の態様、第５の態様および第６の態様において、第３のインジケーションは、少なくとも２つの値を含む。
【００３６】
これら少なくとも２つの値のいくつかが、ＰＤＣＰを再確立するよう命令するために用いられ、これら少なくとも２つの値の残りが、データ回復、データパケットのクリアおよび第１のＳＤＵに対応するＰＤＵのＲＬＣエンティティへの配信というオペレーションのうちの少なくとも１つを実行するよう命令するために用いられる。
【００３７】
任意選択的に、本願の第２の態様、第３の態様、第５の態様および第６の態様において、第１のメッセージは、第４のインジケーションおよび第５のインジケーションを含む。
【００３８】
第４のインジケーションは、ＰＤＣＰエンティティを再確立するよう命令するために用いられる。
【００３９】
第５のインジケーションは、既存のキーを用いるようＰＤＣＰエンティティに命令するために用いられる。
【００４０】
任意選択的に、本願の第２の態様、第３の態様、第５の態様および第６の態様において、第４のインジケーションおよび第６のインジケーションは、同じメッセージにおいて送信されるか、または異なるメッセージにおいて送信される。
【００４１】
任意選択的に、本願の第２の態様、第３の態様、第５の態様および第６の態様において、第１のメッセージは、第６のインジケーションを含み、第６のインジケーションは、ＲＬＣエンティティを再確立するよう命令するために用いられる。
【００４２】
第１のデバイスが第７のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第７のインジケーションは、ＰＤＣＰエンティティを再確立するよう命令するために用いられる。
【００４３】
任意選択的に、本願の第２の態様、第３の態様、第５の態様および第６の態様において、第１のメッセージは、第８のインジケーションを含み、第８のインジケーションは、ＰＤＣＰエンティティを再確立するよう命令するために用いられる。
【００４４】
第１のデバイスが第９のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第９のインジケーションは、キー情報を示すために用いられる。
【００４５】
任意選択的に、本願の第２の態様、第３の態様、第５の態様および第６の態様において、第５のインジケーションは、キーの更新に必要とされるパラメータ情報およびキーを変更するかどうかについての情報のうちの少なくとも１つを含む。
【００４６】
任意選択的に、本願の第２の態様、第３の態様、第５の態様および第６の態様において、第１のメッセージにより示されるクリア済みのデータパケットは、ＰＤＣＰエンティティに格納された全てのＳＤＵおよびＰＤＵを含む。
【００４７】
任意選択的に、本願の第２の態様、第３の態様、第５の態様および第６の態様において、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００４８】
本願の第７の態様は、データ処理装置に適用されるコンピュータ可読記憶媒体を提供する。コンピュータ可読記憶媒体は、命令を格納する。命令がコンピューティング装置により実行された場合、データ処理装置は、本願の第１の態様によるデータ処理方法を実行するよう有効化される。
【００４９】
本願の第８の態様は、第１のデバイスに適用されるコンピュータ可読記憶媒体を提供する。コンピュータ可読記憶媒体は、命令を格納する。命令がコンピューティング装置により実行された場合、第１のデバイスは、本願の第２の態様によるデータ処理方法を実行するよう有効化される。
【００５０】
本願の第９の態様は、第２のデバイスに適用されるコンピュータ可読記憶媒体を提供する。コンピュータ可読記憶媒体は、命令を格納する。命令がコンピューティング装置により実行された場合、第２のデバイスは、本願の第３の態様によるデータ処理方法を実行するよう有効化される。
【００５１】
本願の第１０の態様は、プロセッサと、メモリと、トランシーバとを備えるデータ処理装置を提供する。メモリは、命令を格納するように構成され、トランシーバは、別のデバイスと通信するように構成され、プロセッサが、メモリに格納された命令を実行するように構成されることにより、データ処理装置が本願の第１の態様によるデータ処理方法を実行する。
【００５２】
本願の第１１の態様は、プロセッサと、メモリと、トランシーバとを備える第１のデバイスを提供する。メモリは、命令を格納するように構成され、トランシーバは、別のデバイスと通信するように構成され、プロセッサが、メモリに格納された命令を実行するように構成されることにより、第１のデバイスが本願の第２の態様によるデータ処理方法を実行する。
【００５３】
本願の第１２の態様は、プロセッサと、メモリと、トランシーバとを備える第２のデバイスを提供する。メモリは、命令を格納するように構成され、トランシーバは、別のデバイスと通信するように構成され、プロセッサが、メモリに格納された命令を実行するように構成されることにより、第２のデバイスが本願の第３の態様によるデータ処理方法を実行する。
【００５４】
本願の第１３の態様は、第１のデバイスと第２のデバイスとを備える通信システムを提供する。第１のデバイスは、本願の第２の態様によるデータ処理方法を実行するように構成され、第２のデバイスは、本願の第３の態様によるデータ処理方法を実行するように構成される。
【００５５】
本願において提供されるデータ処理方法およびデータ処理装置ならびにコンピュータ記憶媒体によれば、ＵＭ  ＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、ＰＤＣＰエンティティは、ＰＤＣＰエンティティによりシーケンス番号に関連付けられてはいるが、対応するデータがエアインタフェースを通じて伝送されていないＳＤＵである第１のＳＤＵを決定し、第１のＳＤＵに対応するＰＤＵをＲＬＣエンティティへ配信する。ＰＤＣＰエンティティの前処理により生じるデータパケット損失を回避するために、第１のＳＤＵに対応するデータが再配信される。
【図面の簡単な説明】
【００５６】
【図１】本願が適用可能なネットワークアーキテクチャの概略構造図である。
【００５７】
【図２】本願が適用可能な別のネットワークアーキテクチャの概略図である。
【００５８】
【図３】本願の実施形態１によるデータ処理方法のフローチャートである。
【００５９】
【図４】本願の実施形態２によるデータ処理方法のフローチャートである。
【００６０】
【図５】本願の実施形態３によるデータ処理装置の概略構造図である。
【００６１】
【図６】本願の実施形態４による第１のデバイスの概略構造図である。
【００６２】
【図７】本願の実施形態５による第２のデバイスの概略構造図である。
【００６３】
【図８】本願の実施形態６による通信システムの概略構造図である。
【００６４】
【図９】本願の実施形態７によるデータ処理装置の概略構造図である。
【発明を実施するための形態】
【００６５】
本願は、データ処理方法を提供する。図１は、本願が適用可能なネットワークアーキテクチャの概略構造図である。図１に示されるように、ネットワークアーキテクチャは、１つの基地局および複数の端末デバイスを含む。複数の端末デバイスは、基地局に接続されており、基地局と通信する。図２は、本願が適用可能な別のネットワークアーキテクチャの概略図である。図２に示されるように、ネットワークアーキテクチャは、第１の基地局および第２の基地局という２つの基地局を含む。各基地局は、複数の端末デバイスに接続されてよく、端末デバイスは、第１の基地局が位置するセルから第２の基地局が位置するセルへハンドオーバされてよい。
【００６６】
本願において言及される基地局は、グローバルシステムフォーモバイルコミュニケーションズ（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ（登録商標））におけるベーストランシーバ基地局（Ｂａｓｅ  Ｔｒａｎｓｃｅｉｖｅｒ  Ｓｔａｔｉｏｎ、ＢＴＳ）もしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）システムであってよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システムにおけるノードＢ（ＮｏｄｅＢ、ＮＢ）であってよく、進化型ノードＢ（ｅｖｏｌｖｅｄ  ＮｏｄｅＢ、ｅＮＢ）、アクセスポイント（ａｃｃｅｓｓ  ｐｏｉｎｔ、ＡＰ）もしくはＬＴＥシステムにおける中継ノードであってよく、第５世代（ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ、５Ｇ）モバイル通信システムにおける基地局（例えば、ｇＮＢまたは伝送点（Ｔｒａｎｓｍｉｓｓｉｏｎ  Ｐｏｉｎｔ、ＴＲＰ））であってよく、クラウド型無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラおよびウェアラブルデバイスもしくは車載デバイス等であってよい。このことは、本明細書において限定されない。５Ｇ通信システムは、次世代ネットワークまたは新しい無線アクセスネットワーク（Ｎｅｗ  ｒａｄｉｏ  ａｃｃｅｓｓ  ｔｅｃｈｎｉｃａｌ、Ｎｅｗ  ＲＡＴまたはＮＲ）とも称される。５Ｇ通信システムは、マシンツーマシン（Ｍａｃｈｉｎｅ  ｔｏ  Ｍａｃｈｉｎｅ、Ｍ２Ｍ）通信、Ｄ２Ｍ通信、マクロツーマイクロ通信、エンハンスドモバイルブロードバンド（Ｅｎｈａｎｃｅｄ  Ｍｏｂｉｌｅ  Ｂｒｏａｄｂａｎｄ、ｅＭＢＢ）通信、超高信頼性低レイテンシ通信（Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ｕＲＬＬＣ）および大量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）などのシナリオを含み得る。
【００６７】
本願において言及される端末デバイスは、ユーザ機器（Ｕｓｅｒ  Ｅｑｕｉｐｍｅｎｔ、ＵＥ）、アクセス端末、ＵＥユニット、ＵＥ局、モバイル局、モバイルコンソール、リモート局、リモート端末、モバイルデバイス、ＵＥ端末、端末、無線通信デバイス、ＵＥエージェント、ＵＥ装置等であってよい。端末デバイスは、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続された別の処理デバイス、車載デバイス、ウェアラブルデバイス、将来の５Ｇネットワークにおける端末、将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末等であってもよい。
【００６８】
加えて、本願における通信システムは、公衆陸上移動体ネットワーク（Ｐｕｂｌｉｃ  Ｌａｎｄ  Ｍｏｂｉｌｅ  Ｎｅｔｗｏｒｋ、ＰＬＭＮ）ネットワーク、デバイスツーデバイス（ｄｅｖｉｃｅ−ｔｏ−ｄｅｖｉｃｅ、Ｄ２Ｄ）ネットワーク、マシンツーマシン（ｍａｃｈｉｎｅ  ｔｏ  ｍａｃｈｉｎｅ、Ｍ２Ｍ）ネットワークまたは別のネットワークであってよい。当該デバイスは、端末デバイスまたは基地局であってよい。
【００６９】
図１および図２に示されるネットワークアーキテクチャに基づいて、本願の実施形態１は、ＰＤＣＰエンティティがデータパケットを前処理するので当該データパケットが失われてしまうという従来技術の課題を解決するために、データ処理方法を提供する。しかしながら、本実施形態は、図１および図２におけるネットワークアーキテクチャに限定されない。
【００７０】
図３は、本願の実施形態１によるデータ処理方法のフローチャートである。本実施形態における方法は、基地局または端末デバイスにより実行され得る。本実施形態における方法は、ＵＭデータ無線ベアラ（Ｄａｔａ  Ｒａｄｉｏ  Ｂｅａｒｅｒ、ＤＲＢ）の処理に適用され、具体的には、ＵＭ  ＤＲＢを介したＰＤＣＰエンティティが再確立される、または、セルのハンドオーバが発生するが、ＵＭ  ＤＲＢを介したＰＤＣＰエンティティがハンドオーバの前に用いられていたキーを用いる、という２つのシナリオに適用され得る。図３に示されるように、本実施形態において提供される方法は、以下の段階を備える。
【００７１】
段階Ｓ１０１：ＰＤＣＰエンティティが第１のサービスデータユニット（Ｓｅｒｖｉｃｅ  Ｄａｔａ  Ｕｎｉｔ、ＳＤＵ）を決定する。第１のＳＤＵは、ＰＤＣＰエンティティによりＳＮに関連付けられてはいるが、対応するデータがエアインタフェースを通じて伝送されていないＳＤＵである。
【００７２】
第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００７３】
当該ＳＤＵは、上位層プロトコルからの情報要素であり、Ｎ番目の層におけるＳＤＵが、前の層におけるＰＤＵと１対１の対応関係にある。各サブ層に入った処理済みでないデータがＳＤＵと称され、サブ層により処理された後に形成される特定のフォーマットのデータがＰＤＵと称される。加えて、この層において形成されるＰＤＵが、次の層におけるＳＤＵである。本実施形態において、当該ＳＤＵに対応するデータは、当該ＳＤＵに含まれるデータであり、当該ＳＤＵに対応するデータは、異なる層に異なるフォーマットで存在してよく、伝送されてよい。例えば、ＰＤＣＰ層において、第１のＳＤＵに対応するデータがＰＤＣＰ  ＰＤＵ形式で伝送され、ＲＬＣ層において、第１のＳＤＵに対応するデータは、ＲＬＣ  ＳＤＵ形式またはＲＬＣ  ＰＤＵ形式で伝送され、ＭＡＣ層において、第１のＳＤＵに対応するデータは、ＭＡＣ  ＳＤＵ形式またはＭＡＣ  ＰＤＵ形式で伝送される。
【００７４】
本実施形態において、ＰＤＣＰエンティティは、ＵＭ  ＤＲＢを介したＰＤＣＰエンティティであり、ＵＭ  ＤＲＢを介したＰＤＣＰエンティティのアップリンク送信プロセスは、上位層からＰＤＣＰ  ＳＤＵを受信し、パケット損失タイマ（破棄タイマ）を始動させ、ＰＤＣＰ  ＳＤＵをＳＮに関連付け、（ヘッダ圧縮が構成されている場合に）ＰＤＣＰ  ＳＤＵに対してヘッダ圧縮を実行し、ＰＤＣＰ  ＳＤＵに対して完全性保護および暗号化を実行してＰＤＣＰ  ＰＤＵを取得し、ＰＤＣＰ  ＰＤＵをＲＬＣエンティティへ配信するというものである。ＲＬＣエンティティは、ＰＤＣＰエンティティにより配信されるＲＬＣ  ＳＤＵ（すなわち、ＰＤＣＰ  ＰＤＵ）を受信した後に、ＲＬＣ  ＳＤＵを処理してＲＬＣ  ＰＤＵを取得し、ＲＬＣ  ＰＤＵをＭＡＣエンティティへ配信する。ＭＡＣエンティティは、ＭＡＣ  ＳＤＵ（すなわち、ＲＬＣ  ＰＤＵ）を処理してＭＡＣ  ＰＤＵを取得し、次に、ＭＡＣ  ＰＤＵを物理層へ配信する。利用可能な伝送リソースを物理層におけるエアインタフェースが有する場合、物理層は、エアインタフェースにおける伝送リソースを用いることにより、ＭＡＣ  ＰＤＵのデータパケットを送信する。
【００７５】
ＲＬＣエンティティは、ＡＭ、ＴＭおよびＵＭという３つのモードで動作する。ＵＭでは、データを送信する場合、ＲＬＣエンティティは、必要な制御プロトコルオーバヘッドを上位層ＰＤＵに追加し、次に、データを伝送するが、データがピアエンティティへ配信されることは保証せず、再伝送プロトコルを用いない。
【００７６】
ＤＲＢは、基地局と端末デバイスとの間のデータベアラである。ＤＲＢは、サービスデータを伝送するために用いられる。１つの端末デバイスが基地局と共に複数のＤＲＢを確立し得る。異なるサービスを伝送するために、異なるＤＲＢが用いられる。ＵＭでは、データ再伝送メカニズムがなく、従って、データパケットが失われ得る。ＵＭ  ＤＲＢを介したＰＤＣＰエンティティが再確立されている場合、ＵＭ  ＤＲＢは、Ｎｅｘｔ＿ＰＤＣＰ＿ＴＸ＿ＳＮおよびＴＸ＿ＨＦＮをゼロに設定し、新しい暗号化方式および新しいキーを用い、既にＳＮに関連付けられているＰＤＣＰ  ＳＤＵについて、ＰＤＣＰ  ＳＤＵに対応するＰＤＵが下位層へ配信されていない場合、パケット損失タイマを再始動させることなく、これらのＳＤＵが上位層から受信されており、ＰＤＣＰエンティティが再確立される前に関連付けられたカウント値（ＣＯＵＮＴ）に基づいて昇順で伝送されているものとみなす、といういくつかの従来技術の方式で処理される。
【００７７】
カウント値は３２ビット数であり、第１の半セグメントはハイパーフレーム番号（ｈｙｐｅｒ  ｆｒａｍｅ  ｎｕｍｂｅｒ、ＨＦＮ）であり、第２の半セグメントはＳＮである。Ｎｅｘｔ＿ＰＤＣＰ＿ＴＸ＿ＳＮは、ＰＤＣＰエンティティの次のＰＤＣＰ  ＳＤＵのＰＤＣＰ  ＳＮであり、ＴＸ＿ＨＦＮは、カウント値を生成するために用いられるＨＦＮである。
【００７８】
５Ｇシステムでは、基地局および端末デバイスの両方がデータパケット前処理機能を有する。具体的には、エアインタフェースが伝送リソースを有していない前に、ＰＤＣＰエンティティは、ＳＤＵをシーケンス番号に関連付け、当該ＳＤＵに対応するＰＤＵをＲＬＣエンティティへ配信する。しかしながら、ＰＤＣＰが再確立された後は、従来技術では、第１のＳＤＵがＳＮに関連付けられているので、ＰＤＣＰエンティティは、第１のＳＤＵをシーケンス番号に再び関連付けることはせず、結果的に、第１のＳＤＵに含まれるデータパケットが失われる。例えば、ＰＤＣＰエンティティが再確立されている場合、ＰＤＣＰ  ＰＤＵ３〜９は、前処理を通じてＲＬＣエンティティおよびＭＡＣエンティティへ配信されているが、エアインタフェースを通じて送信されてはいない。ＰＤＣＰエンティティが再確立された後は、ＰＤＣＰ  ＰＤＵ３〜９は、ＰＤＣＰエンティティによりシーケンス番号に関連付けられているので、再伝送されない。ＰＤＣＰの再確立は、セルのハンドオーバにより生じ得るか、または生じ得ないことに留意されたい。
【００７９】
新しいアーキテクチャ、すなわち、ＣＵ／ＤＵの分離シナリオが５Ｇシステムに導入されている。１つのＣＵ複数のＤＵを制御し得る。例えば、ＣＵが変更されない場合、端末デバイスは、１つのＤＵから別のＤＵへハンドオーバされる。セルが変更されるが、基地局側のＰＤＣＰ層がＣＵ側に位置しているので、ＰＤＣＰエンティティは、変更されない。このシナリオではセルのハンドオーバが発生するが、ＰＤＣＰエンティティは依然として、ハンドオーバの前に用いられていたキーを用いる。このシナリオでは、前処理により生じるデータパケット損失も発生する。ＰＤＣＰエンティティは、ＲＲＣエンティティにより送信されるインジケーション情報を受信し得る。インジケーション情報は、セルのハンドオーバが発生しているが、ＵＭ  ＤＲＢを介したＰＤＣＰエンティティがハンドオーバの前に用いられていたキーを用いていることを示すために用いられる。例えば、ＲＲＣエンティティは、１ビットのインジケーション情報を用いることにより、セルのハンドオーバが発生しているが、ＵＭ  ＤＲＢを介したＰＤＣＰエンティティがハンドオーバの前に用いられていたキーを用いていることを示し得る。
【００８０】
ＰＤＣＰの前処理により生じるデータパケット損失という課題を解決するために、本実施形態では、ＵＭ  ＤＲＢを介したＰＤＣＰエンティティが再確立されている場合、または、セルのハンドオーバが発生しているが、ＵＭ  ＤＲＢを介したＰＤＣＰエンティティがハンドオーバの前に用いられていたキーを用いている場合、ＰＤＣＰエンティティは、第１のＳＤＵを決定する。
第１のＳＤＵは、
ＳＤＵであって、ＳＮに関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００８１】
任意選択的に、ＰＤＣＰエンティティは、インジケーション情報を受信する。インジケーション情報は、第１のＳＤＵに対応するＰＤＵをＲＬＣエンティティへ配信するよう命令するために用いられる。ＰＤＣＰエンティティは、インジケーション情報に基づいて第１のＳＤＵを決定する。インジケーション情報は、基地局により端末デバイスへ送信される。その後、ＵＭ  ＤＲＢを介したＰＤＣＰエンティティが再確立されている場合、または、セルのハンドオーバが発生しているが、ＵＭ  ＤＲＢを介したＰＤＣＰエンティティがハンドオーバの前に用いられていたキーを用いている場合、ＲＬＣエンティティは、ビットマップ（ｂｉｔｍａｐ）を用いることにより、ＲＬＣエンティティへ配信される必要があるＰＤＵに対応するＳＤＵについての情報をＰＤＣＰに通知し得る。ビットマップは複数のビット（ｂｉｔ）を含んでよく、各ビットは１つのＰＤＣＰ  ＰＤＵのカウント値に対応し、各ビット値は０または１である。ＲＬＣエンティティは、ＰＤＣＰエンティティによりＲＬＣエンティティへ最近配信されているＰＤＵのカウント値から始まってよく、カウント値に対応するＰＤＣＰ  ＰＤＵがエアインタフェースで既に伝送されていることを示すために１が用いられ、カウント値に対応するＰＤＣＰ  ＰＤＵがエアインタフェースで伝送されていないことを示すために０が用いられる。各ＰＤＣＰ  ＰＤＵは、１つのＰＤＣＰ  ＳＤＵに対応する。ＰＤＣＰエンティティは、ＰＤＣＰ  ＰＤＵがエアインタフェースで伝送されているかどうかに基づいて、ＰＤＣＰ  ＰＤＵに対応するＰＤＣＰ  ＳＤＵがＲＬＣエンティティへ再配信される必要があるかどうかを認識する。代替的に、カウント値に対応するＰＤＣＰ  ＰＤＵがＲＬＣエンティティへ再配信される必要があることを示すために１が用いられ、カウント値に対応するＰＤＣＰ  ＰＤＵがＲＬＣエンティティへ再配信される必要がないことを示すために０が用いられる。ＰＤＣＰエンティティは、ＰＤＣＰ  ＰＤＵに対応するＰＤＣＰ  ＳＤＵに基づいて、第１のＳＤＵが必要とされていることを認識する。任意選択的に、ＲＬＣエンティティは、代替的に、再配信される必要があるＰＤＣＰ  ＰＤＵの最小カウント値をＰＤＣＰエンティティに直接通知し得る。ＰＤＣＰエンティティは、最小カウント値に基づいて、ＲＬＣエンティティへ再配信される必要があるＰＤＣＰ  ＰＤＵを取得し、ＰＤＣＰ  ＰＤＵに対応するＰＤＣＰ  ＳＤＵに基づいて、第１のＳＤＵを取得する。ＳＮに関連付けられてはいるがＲＬＣエンティティへ配信されていないＳＤＵについて、ＰＤＣＰエンティティは、バッファからＳＤＵを取得し、当該ＳＤＵを第１のＳＤＵとして用い得る。
【００８２】
段階Ｓ１０２：ＰＤＣＰエンティティが、第１のＳＤＵに対応するＰＤＵをＲＬＣエンティティへ配信する。
【００８３】
例えば、ＰＤＣＰエンティティが、第１のＳＤＵは上位層からのものであるとみなし（ｃｏｎｓｉｄｅｒ）、次に、第１のＳＤＵに対応するＰＤＵをＲＬＣエンティティへ昇順で配信する。１または複数の第１のＳＤＵが存在し得る。
【００８４】
ＰＤＣＰエンティティが再確立されるシナリオでは、ＰＤＣＰエンティティは、再確立の前に用いられている、第１のＳＤＵの一連のカウント値のうち、再確立の後に用いられるカウント値を用いて、第１のＳＤＵをソートする。ＰＤＣＰエンティティが再確立された後に用いられるカウント値は、初期値に設定される。再確立の前および後に用いられる第１のＳＤＵのカウント値は異なるが、一連の第１のＳＤＵは変化しないままである。例えば、３つの第１のＳＤＵが存在し、ＳＤＵ１のカウント値は７であり、ＳＤＵ２のカウント値は８であり、ＳＤＵ３のカウント値は９である。ＰＤＣＰエンティティが再確立された後に用いられるカウント値は、初期値に設定される。カウント値の初期値が０であると仮定すると、ＰＤＣＰエンティティが再確立された後は、ＳＤＵ１のカウント値は０であり、ＳＤＵ２のカウント値は１であり、ＳＤＵ３のカウント値は２である。言い換えると、ＰＤＣＰエンティティが再確立された後は、第１のＳＤＵ間のシーケンス関係は変化しないままである。
【００８５】
セルのハンドオーバが発生しているが、ＵＭ  ＤＲＢを介したＰＤＣＰエンティティがハンドオーバの前に用いられていたキーを用いているシナリオでは、ＰＤＣＰエンティティにより下位層エンティティへ配信されるデータパケットのカウント値が初期値から始まってよく、または、ハンドオーバの前に用いられていたカウント値が維持されてよい。
【００８６】
任意選択的に、ＰＤＣＰエンティティは、第１のＳＤＵに対応する第１のタイマを再始動させない。第１のタイマは、ＰＤＣＰエンティティが上位層から第１のＳＤＵを受信した場合、ＰＤＣＰエンティティにより始動させられる。第１のタイマは、パケット損失タイマであってよい。パケット損失タイマは、データパケットの時間有効性を制御するように構成される。データパケットが伝送されていない場合において、第１のタイマが満了したときは、データパケットは、その後伝送されるとしても、依然として、無効なパケットである。従って、本実施形態において、第１のＳＤＵは、データパケットの有効性を保証するために、再確立の前に用いられていた第１のタイマまたはセルのハンドオーバの前に用いられていた第１のタイマを依然として用いる。
【００８７】
任意選択的に、上述の２つのシナリオでは、バッファにおけるＳＤＵの第１のタイマが満了する前に、ＰＤＣＰエンティティはさらに、エアインタフェースを通じて既に伝送されている全てのＳＤＵを破棄し得る。既存のメカニズムでは、ＰＤＣＰエンティティは、各ＳＤＵについて１つの第１のタイマを始動させる。ＳＤＵに含まれるデータパケットがエアインタフェースを通じて既に伝送されているとしても、当該ＳＤＵは、依然としてバッファに格納され、ＰＤＣＰエンティティは、当該ＳＤＵの第１のタイマのタイミングが満了した場合にのみ、バッファから当該ＳＤＵを削除する。本実施形態において、当該ＳＤＵは、エアインタフェースから送信された後に、バッファのオーバーフローを回避するために、バッファから適時に削除される。
【００８８】
本実施形態において、ＰＤＣＰエンティティは、ＲＬＣエンティティへ配信される必要がある第１のＳＤＵであって、ＰＤＣＰエンティティによりシーケンス番号に関連付けられており、エアインタフェースを通じて伝送されていないＳＤＵである、第１のＳＤＵを決定し、第１のＳＤＵに対応するＰＤＵをＲＬＣエンティティへ配信する。第１のＳＤＵは、ＰＤＣＰエンティティの前処理により生じるデータパケット損失を回避するために再配信される。
【００８９】
図１および図２に示されるネットワークアーキテクチャに基づいて、本願の実施形態２は、データ処理方法を提供する。図４は、本願の実施形態２によるデータ処理方法のフローチャートである。本実施形態において、第２のデバイスが基地局または別のネットワークデバイスであってよく、第１のデバイスが端末デバイスである。図４に示されるように、本実施形態において提供される方法は、以下の段階を含む。
【００９０】
段階Ｓ２０１：第２のデバイスが第１のメッセージを第１のデバイスへ送信する。第１のメッセージは、データ回復（ｄａｔａ  ｒｅｃｏｖｅｒｙ）、データパケットのクリアおよび第１のＳＤＵに対応するＰＤＵのＲＬＣエンティティへの配信というオペレーションのうちの少なくとも１つを実行するよう第１のデバイスに命令するために用いられ、第１のＳＤＵは、ＰＤＣＰエンティティによりシーケンス番号に関連付けられてはいるが、対応するデータがエアインタフェースを通じて伝送されていないＳＤＵである。
【００９１】
任意選択的に、セルのハンドオーバが発生しており、ＰＤＣＰエンティティがハンドオーバの前に用いられていたキーを用いている場合、第２のデバイスは、第１のメッセージを第１のデバイスへ送信する。
【００９２】
段階Ｓ２０２：第１のデバイスが、第２のデバイスにより送信される第１のメッセージを受信する。
【００９３】
任意選択的に、セルのハンドオーバが発生しており、ＰＤＣＰエンティティがハンドオーバの前に用いられていたキーを用いている場合、第１のデバイスは、第２のデバイスにより送信される第１のメッセージを受信する。
【００９４】
ＰＤＣＰエンティティがＡＭ  ＤＲＢを介したＰＤＣＰエンティティである場合、第１のメッセージは、データを回復するよう第１のデバイスに命令するために用いられる。
【００９５】
ＰＤＣＰエンティティがＵＭ  ＤＲＢを介したＰＤＣＰエンティティである場合、第１のメッセージは、第１のＳＤＵに対応するＰＤＵをＲＬＣエンティティへ配信するよう第１のデバイスのＰＤＣＰエンティティに命令するために用いられる。
第１のＳＤＵは、
ＳＤＵであって、ＳＮに関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【００９６】
ＰＤＣＰエンティティがＳＲＢを介したＰＤＣＰエンティティである場合、第１のメッセージは、データパケットをクリアするよう第１のデバイスに命令するために用いられる。ＳＲＢは、ＲＬＣ層によりユーザのために提供されるサービスであり、主に、シグナリングを保持するために用いられる。例えば、ＬＴＥシステムにおいて、ＳＲＢは、非アクセス層（Ｎｏｎ−ａｃｃｅｓｓ  ｓｔｒａｔｕｍ、ＮＡＳ）メッセージおよび無線リソース制御（Ｒａｄｉｏ  Ｒｅｓｏｕｒｃｅ  Ｃｏｎｔｒｏｌ、ＲＲＣ）メッセージのみを伝送するために用いられる。任意選択的に、第１のメッセージにより示されるクリア済みのデータパケットは、ＰＤＣＰエンティティに格納された全てのＳＤＵおよびＰＤＵを含む。
【００９７】
第２のデバイスは、データ回復、データパケットのクリアおよび第１のＳＤＵに対応するＰＤＵのＲＬＣエンティティへの配信というオペレーションのうちの少なくとも１つを実行するよう第１のデバイスに明示的にまたは黙示的に命令し得る。具体的には、インジケーションは、以下の方式で実行され得る。
【００９８】
第１のインジケーション方式では、第１のメッセージは、第１のインジケーションおよび第２のインジケーションを含む。第１のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。第２のインジケーションは、当該ＲＬＣエンティティを再確立するよう命令するために用いられる。
【００９９】
第１のメッセージは、１つのメッセージは示さないが、１つのタイプのメッセージを示すことに留意されたい。このタイプのメッセージは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。従って、第１のインジケーションおよび第２のインジケーションは、同じメッセージにおいて送信され得るか、または異なるメッセージにおいて送信され得る。
【０１００】
第２のインジケーション方式では、第１のメッセージは、第３のインジケーションを含む。第３のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられ、さらに、ＰＤＣＰを再確立するよう命令するために用いられる。この方式では、既存のＰＤＣＰ再確立インジケーションが再使用される。具体的には、第３のインジケーションは、ＰＤＣＰを再確立するよう命令するためにのみ用いられるのではなく、データ回復、データパケットのクリアおよび第１のＳＤＵに対応するＰＤＵのＲＬＣエンティティへの配信というオペレーションのうちの少なくとも１つを実行するよう命令するためにも用いられ得る。
【０１０１】
任意選択的に、第３のインジケーションは、少なくとも２つの値を含む。これら少なくとも２つの値のいくつかが、ＰＤＣＰを再確立するよう命令するために用いられ、これら少なくとも２つの値の残りが、データ回復、データパケットのクリアおよび第１のＳＤＵに対応するＰＤＵのＲＬＣエンティティへの配信というオペレーションのうちの少なくとも１つを実行するよう命令するために用いられる。例えば、第３のインジケーションは、２つの値を含む。これら２つの値のうちの一方が、ＰＤＣＰを再確立するよう命令するために用いられ、これら２つの値のうちの他方が、データ回復、データパケットのクリアおよび第１のＳＤＵに対応するＰＤＵのＲＬＣエンティティへの配信というオペレーションのうちの少なくとも１つを実行するよう命令するために用いられる。
【０１０２】
任意選択的に、第３のインジケーションは、代替的に、マルチビット値、例えば、２ビット値でよく、データ回復、データパケットのクリアおよび第１のＳＤＵに対応するＰＤＵのＲＬＣエンティティへの配信というオペレーションのうちの少なくとも１つを実行するよう命令するために用いられる。
【０１０３】
任意選択的に、別のインジケーションが第３のインジケーションとしてさらに再使用され得る。
【０１０４】
第３のインジケーション方式では、第１のメッセージは、第４のインジケーションおよび第５のインジケーションを含む。第４のインジケーションは、ＰＤＣＰエンティティを再確立するよう命令するために用いられる。第５のインジケーションは、既存のキーを用いるようＰＤＣＰエンティティに命令するために用いられる。任意選択的に、第５のインジケーションは、キーの更新のために必要となる情報およびキーを変更するかどうかについての情報というパラメータのうちの少なくとも一方を含む。キーを変更するかどうかについての情報は、ビットを用いることにより示され得る。例えば、ビットの値が１である場合、これは、変更する必要があるキー、言い換えると、ＰＤＣＰエンティティが再確立された後に用いられるキーが用いられていることを示す。ビットの値が０である場合、これは、キーを変更する必要がないことを示す。
【０１０５】
任意選択的に、第４のインジケーションおよび第５のインジケーションは、同じメッセージにおいて送信され得るか、または異なるメッセージにおいて送信され得る。
【０１０６】
第４のインジケーション方式では、第１のメッセージは、第６のインジケーションを含み、第６のインジケーションは、ＲＬＣエンティティを再確立するよう命令するために用いられる。第１のデバイスが第７のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第７のインジケーションは、ＰＤＣＰエンティティを再確立するよう命令するために用いられる。
【０１０７】
第５のインジケーション方式では、第１のメッセージは、第８のインジケーションを含み、第８のインジケーションは、ＰＤＣＰエンティティを再確立するよう命令するために用いられる。第１のデバイスが第９のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第９のインジケーションは、キー情報を示すために用いられる。
【０１０８】
段階Ｓ２０３：第１のデバイスが、第１のメッセージに基づいて、対応するオペレーションを実行する。
【０１０９】
具体的には、ＡＭ  ＤＲＢシナリオでは、第１のデバイスは、第１のメッセージに基づいてデータを回復する。ＵＭ  ＤＲＢシナリオでは、第１のデバイスは、第１のメッセージに基づいて、第１のＳＤＵに対応するＰＤＵをＲＬＣエンティティへ配信する。ＳＲＢシナリオでは、第１のデバイスは、第１のメッセージに基づいてデータパケットをクリアする。
【０１１０】
ＡＭ  ＤＲＢシナリオでは、既存のメカニズムにおいて、第１のデバイスは、シナリオの変更に基づいて、データを回復するかどうかを決定する必要がある。データ回復とは、伝送端、すなわち、ＰＤＣＰエンティティが、肯定応答フィードバックが受信側から受信されていないデータパケットを、ＲＬＣエンティティを用いることにより認識し、次に、肯定応答フィードバックが受信されていないデータパケットを再伝送することである。本実施形態における解決手段では、第２のデバイスが、データを回復するよう第１のデバイスに明示的に命令することにより、実装が単純になる。
【０１１１】
ＵＭ  ＤＲＢシナリオでは、第２のデバイスが、第１のＳＤＵに対応するＰＤＵをＲＬＣエンティティへ配信するよう第１のデバイスに命令することにより、ＰＤＣＰエンティティの前処理により生じるデータパケット損失を回避できる。
【０１１２】
ＳＲＢシナリオでは、ＳＲＢについて、ＰＤＣＰエンティティのみが再確立される。ＰＤＣＰエンティティの再確立中に、ＴＸ＿ＮＥＸＴの初期値への設定、バッファ内に格納された全てのＰＤＣＰ  ＳＤＵおよびＰＤＵの削除、新しい暗号化アルゴリズムおよび新しいキーの使用ならびに新しい完全性保護の実行および新しいキーの使用というオペレーションが実行される。セルのハンドオーバが発生しており、ＳＲＢを介したＰＤＣＰエンティティがハンドオーバの前に用いられていたキーを用いている場合、ＰＤＣＰエンティティは、ＰＤＣＰエンティティに格納されたデータパケットを処理しない。ＳＲＢにおけるデータパケットはセルに関連しているので、セルのハンドオーバの後に、ＳＲＢにおける満了情報が新しいセルへ送信され得る。しかしながら、ＳＲＢについて、セルのハンドオーバ中には、ＰＤＣＰエンティティのみが再確立されている。従って、キーの変更がないセルのハンドオーバ中に、ＳＲＢにおける満了情報は、新しいセルに送信され得る。本実施形態において、第２のデバイスは、セルのハンドオーバが発生しており、ＳＲＢを介したＰＤＣＰエンティティがハンドオーバの前に用いられていたキーを用いている場合、バッファに格納されたデータパケットをクリアして新しいセルへの満了情報の送信を回避するよう、第１のメッセージを用いることによりＰＤＣＰエンティティに命令する。
【０１１３】
図５は、本願の実施形態３によるデータ処理装置の概略構造図である。図５に示されるように、本実施形態において提供されるデータ処理装置は、プロセッサ１１と、メモリ１２と、トランシーバ１３とを備える。メモリ１２は、命令を格納するように構成され、トランシーバ１３は、別のデバイスと通信するように構成され、プロセッサ１１が、メモリ１２に格納された命令を実行するように構成されることにより、データ処理装置が実施形態１におけるデータ処理方法を実行する。具体的な実装および技術的効果は、実施形態１におけるデータ処理方法のものと同様である。ここでは詳細を再度説明しない。
【０１１４】
図６は、本願の実施形態４による第１のデバイスの概略構造図である。図６に示されるように、本実施形態において提供される第１のデバイスは、プロセッサ２１と、メモリ２２と、トランシーバ２３とを備える。メモリ２２は、命令を格納するように構成され、トランシーバ２３は、別のデバイスと通信するように構成され、プロセッサ２１が、メモリ２２に格納された命令を実行するように構成されることにより、実施形態２における第１のデバイスにより実行される方法の段階を第１のデバイスが実行する。具体的な実装および技術的効果は、実施形態２における第１のデバイスのものと同様である。ここでは詳細を再度説明しない。
【０１１５】
図７は、本願の実施形態５による第２のデバイスの概略構造図である。図７に示されるように、本実施形態において提供される第２のデバイスは、プロセッサ３１と、メモリ３２と、トランシーバ３３とを備える。メモリ３２は、命令を格納するように構成され、トランシーバ３３は、別のデバイスと通信するように構成され、プロセッサ３１が、メモリ３２に格納された命令を実行するように構成されることにより、実施形態２において第２のデバイスにより実行される方法の段階を第２のデバイスが実行する。具体的な実装および技術的効果は、実施形態２における第２のデバイスのものと同様である。ここでは詳細を再度説明しない。
【０１１６】
図８は、本願の実施形態６による通信システムの概略構造図である。図８に示されるように、本実施形態において提供される通信システムは、第１のデバイス４１および第２のデバイス４２を備える。第１のデバイス４１は、実施形態２において第１のデバイスにより実行される方法の段階を実行するように構成され、第２のデバイス４２は、実施形態２において第２のデバイスにより実行される方法の段階を実行するように構成される。具体的な実装および技術的効果は、実施形態２における第１のデバイスおよび第２のデバイスのものと同様である。ここでは詳細を再度説明しない。
【０１１７】
図９は、本願の実施形態７によるデータ処理装置の概略構造図である。図９に示されるように、本実施形態において提供されるデータ処理装置は、ＰＤＣＰエンティティ５１およびＲＬＣエンティティ５２を備える。
【０１１８】
ＰＤＣＰエンティティ５１は、第１のサービスデータユニットＳＤＵを決定するように構成される。第１のＳＤＵは、ＰＤＣＰエンティティ５１によりシーケンス番号に関連付けられてはいるが、対応するデータがエアインタフェースを通じて伝送されていないＳＤＵである。
【０１１９】
ＰＤＣＰエンティティ５１はさらに、第１のＳＤＵに対応するプロトコルデータユニットＰＤＵをＲＬＣエンティティ５２へ配信するように構成される。
【０１２０】
任意選択的に、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータが媒体アクセス制御ＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【０１２１】
任意選択的に、ＰＤＣＰエンティティ５１が第１のＳＤＵを決定することは、ＵＭデータ無線ベアラＤＲＢを介したＰＤＣＰエンティティが再確立されている場合、または、セルのハンドオーバが発生しており、ＵＭ  ＤＲＢを介したＰＤＣＰエンティティがハンドオーバの前に用いられていたキーを用いている場合、インジケーション情報を受信することであって、インジケーション情報は、第１のＳＤＵに対応するＰＤＵをＲＬＣエンティティへ配信するよう命令するために用いられる、受信することと、とインジケーション情報に基づいて第１のＳＤＵを決定することとを含む。
【０１２２】
任意選択的に、ＰＤＣＰエンティティ５１が第１のＳＤＵに対応するＰＤＵをＲＬＣエンティティへ配信することは、第１のＳＤＵは上位層からのものであるとみなすことと、第１のＳＤＵに対応するＰＤＵをＲＬＣエンティティへ昇順で配信することとを含む。
【０１２３】
任意選択的に、ＰＤＣＰエンティティ５１は、第１のＳＤＵに対応する第１のタイマを再始動させず、第１のタイマは、ＰＤＣＰエンティティ５１が上位層から第１のＳＤＵを受信した場合、ＰＤＣＰエンティティ５１により始動させられる。
【０１２４】
任意選択的に、セルのハンドオーバが発生し、ＵＭ  ＤＲＢを介したＰＤＣＰエンティティがハンドオーバの前に用いられていたキーを用いた後に、第１のＳＤＵのカウント値が初期値から始まるか、または、ハンドオーバの前に用いられていたカウント値が維持される。
【０１２５】
本実施形態において提供されるデータ処理装置は、実施形態１における方法を実行するように構成され得る。具体的な実装および技術的効果は、実施形態１における方法のものと同様である。ここでは詳細を再度説明しない。
【０１２６】
本願の実施形態８は、第１のデバイスを提供する。第１のデバイスは、第２のデバイスにより送信される第１のメッセージを受信するように構成される受信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【０１２７】
任意選択的に、受信モジュールは、具体的には、セルのハンドオーバｌが発生しており、ＰＤＣＰエンティティがハンドオーバの前に用いられていたキーを用いている場合、第２のデバイスにより送信される第１のメッセージを受信するように構成される。
【０１２８】
第１のデバイスは、第１のメッセージに基づいて対応する動作を実行するように構成された処理モジュールをさらに備える。
【０１２９】
本願の実施形態９は、第２のデバイスを提供する。第２のデバイスは、第１のメッセージを第１のデバイスへ送信するように構成される送信モジュールを備える。第１のメッセージは、データ回復、データパケットのクリアおよび第１のサービスデータユニットＳＤＵに対応するプロトコルデータユニットＰＤＵの無線リンク制御ＲＬＣエンティティへの配信というオペレーションのうちの少なくとも１つを実行するよう第１のデバイスに命令するために用いられ、第１のＳＤＵは、パケットデータコンバージェンスプロトコルＰＤＣＰエンティティによりシーケンス番号に関連付けられてはいるが、対応するデータがエアインタフェースを通じて伝送されていないＳＤＵである。
【０１３０】
任意選択的に、送信モジュールは、具体的には、セルのハンドオーバが発生しており。ＰＤＣＰエンティティがハンドオーバの前に用いられていたキーを用いている場合、第２のデバイスが第１のメッセージを第１のデバイスへ送信するように構成される。
【０１３１】
任意選択的に、本願の実施形態８および実施形態９において、ＰＤＣＰエンティティが肯定応答モードＡＭデータ無線ベアラＤＲＢを介したＰＤＣＰエンティティである場合、第１のメッセージは、データを回復するよう第１のデバイスに命令するために用いられ、または、
ＰＤＣＰエンティティが非肯定応答モードＵＭ  ＤＲＢを介したＰＤＣＰエンティティである場合、第１のメッセージは、第１のＳＤＵに対応するＰＤＵをＲＬＣエンティティへ配信するよう第１のデバイスに命令するために用いられ、または、
ＰＤＣＰエンティティがシグナリング無線ベアラＳＲＢを介したＰＤＣＰエンティティである場合、第１のメッセージは、データパケットをクリアするよう第１のデバイスに命令するために用いられる。
【０１３２】
任意選択的に、本願の実施形態８および実施形態９において、第１のメッセージは、第１のインジケーションおよび第２のインジケーションを含む。第１のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられる。第２のインジケーションは、ＲＬＣエンティティを再確立するよう命令するために用いられる。
【０１３３】
任意選択的に、本願の実施形態８および実施形態９において、第１のインジケーションおよび第２のインジケーションは、同じメッセージにおいて送信されるか、または異なるメッセージにおいて送信される。
【０１３４】
任意選択的に、本願の実施形態８および実施形態９において、第１のメッセージは、第３のインジケーションを含む。
【０１３５】
第３のインジケーションは、データ回復、データパケットのクリアおよび第１のＳＤＵに対応するＰＤＵのＲＬＣエンティティへの配信というオペレーションのうちの少なくとも１つを実行するよう第１のデバイスに命令するために用いられ、さらに、ＰＤＣＰを再確立するよう命令するために用いられる。
【０１３６】
任意選択的に、本願の実施形態８および実施形態９において、第３のインジケーションは、少なくとも２つの値を含む。これら少なくとも２つの値のいくつかが、ＰＤＣＰを再確立するよう命令するために用いられ、これら少なくとも２つの値の残りが、データ回復、データパケットのクリアおよび第１のＳＤＵに対応するＰＤＵのＲＬＣエンティティへの配信というオペレーションのうちの少なくとも１つを実行するよう命令するために用いられる。
【０１３７】
任意選択的に、本願の実施形態８および実施形態９において、第１のメッセージは、第４のインジケーションおよび第５のインジケーションを含む。第４のインジケーションは、ＰＤＣＰエンティティを再確立するよう命令するために用いられる。第５のインジケーションは、既存のキーを用いるようＰＤＣＰエンティティに命令するために用いられる。
【０１３８】
任意選択的に、本願の実施形態８および実施形態９において、第４のインジケーションおよび第５のインジケーションは、同じメッセージにおいて送信されるか、または異なるメッセージにおいて送信される。
【０１３９】
任意選択的に、本願の実施形態８および実施形態９において、第１のメッセージは、第６のインジケーションを含み、第６のインジケーションは、ＲＬＣエンティティを再確立するよう命令するために用いられる。第１のデバイスが第７のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第７のインジケーションは、ＰＤＣＰエンティティを再確立するよう命令するために用いられる。
【０１４０】
任意選択的に、本願の実施形態８および実施形態９において、第１のメッセージは、第８のインジケーションを含み、第８のインジケーションは、ＰＤＣＰエンティティを再確立するよう命令するために用いられる。第１のデバイスが第９のインジケーションを受信しなかった場合、第１のメッセージは、データ回復、データパケットのクリアおよび第１のＳＤＵに対応するＰＤＵのＲＬＣエンティティへの再配信というオペレーションのうちの少なくとも１つを実行するよう第１のデバイスに命令するために用いられ、第９のインジケーションは、キー情報を示すために用いられる。
【０１４１】
任意選択的に、本願の実施形態８および実施形態９において、第５のインジケーションは、キーの更新のために必要となる情報およびキーを変更するかどうかについての情報というパラメータのうちの少なくとも一方を含む。
【０１４２】
任意選択的に、本願の実施形態８および実施形態９において、第１のメッセージにより示されるクリア済みのデータパケットは、ＰＤＣＰエンティティに格納された全てのＳＤＵおよびＰＤＵを含む。
【０１４３】
任意選択的に、本願の実施形態８および実施形態９において、第１のＳＤＵは、
ＳＤＵであって、シーケンス番号に関連付けられてはいるが、ＳＤＵに対応するＰＤＵがＲＬＣエンティティへ配信されていないＳＤＵ、
ＳＤＵであって、ＳＤＵに対応するデータがＲＬＣエンティティによりＭＡＣエンティティへ配信されていないＳＤＵ、
ＳＤＵであって、ＳＤＵに対応するデータがＭＡＣエンティティにより物理層へ配信されていないＳＤＵ、および、
ＳＤＵであって、ＳＤＵに対応するデータが物理層へ配信されてはいるが、ＳＤＵに対応するデータが物理層によりエアインタフェースを通じて送信されていないＳＤＵ
のうちの少なくとも１つを含む。
【０１４４】
本願におけるデータ処理装置、第１のデバイスおよび第２のデバイスにより用いられるプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェアコンポーネントまたはそれらの任意の組み合わせであってよいことが理解され得る。プロセッサは、本願において開示された内容に関連して説明された様々な例示的な論理ブロック、モジュールおよび回路を実装または実行し得る。プロセッサは、コンピューティング機能を実装したプロセッサの組み合わせ、例えば、１または複数のマイクロプロセッサの組み合わせまたはＤＳＰとマイクロプロセッサとの組み合わせであってよい。
【０１４５】
本願におけるバスは、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、ペリフェラルコンポーネント相互接続（Ｐｅｒｉｐｈｅｒａｌ  Ｃｏｍｐｏｎｅｎｔ、ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってよい。バスは、アドレスバス、データバス、制御バス等に分類され得る。表現を容易にするために、本願の添付図面におけるバスは、ただ１つのバスまたはただ１つのタイプのバスに限定されない。
【０１４６】
本願において提供されるいくつかの実施形態では、開示された装置および方法が別の方式で実装されてよいことを理解されたい。例えば、上記の説明された装置の実施形態は、例に過ぎない。例えば、ユニットへの分割は、論理的機能の分割に過ぎず、実際の実装では他の分割であってよい。例えば、複数のユニットまたはコンポーネントが組み合わされても別のシステムに統合されてもよく、いくつかの機能が無視されても実行されなくてもよい。加えて、表示または議論された相互結合もしくは直接結合または通信接続は、いくつかのインタフェースを用いることにより実装されてよい。装置間またはユニット間の間接結合または通信接続は、電子的形態、機械的形態または別の形態で実装されてよい。
【０１４７】
別個の部分として説明されたユニットは、物理的に別個であってもそうでなくてもよく、ユニットとして表示された部分は、物理的ユニットであってもそうでなくてもよく、１箇所に位置していても複数のネットワークユニット上に分散していてもよい。これらのユニットのいくつかまたは全てが、実施形態の解決手段の目的を達成するために、実際の要件に基づいて選択されてよい。
【０１４８】
加えて、本願の実施形態における機能ユニットが１つの処理ユニットに統合されてもよく、当該ユニットの各々が物理的に単独で存在してもよく、２つまたはそれより多くのユニットが１つのユニットに統合されてもよい。統合されたユニットは、ハードウェアの形態で実装されても、ソフトウェア機能ユニットに加えてハードウェアの形態で実装されてもよい。
【国際調査報告】
2021503729.tif 000012
2021503729.tif 000013
2021503729.tif 000014
2021503729.tif 000015